(57)【要約】本発明は、データフローを伝送する無線ベアラの処理方法及び装置を開示する。当該方法では、コアネットワーク制御エンティティからアクセスネットワークノードに送信されたサービス品質パラメータを確定し、コアネットワークとＵＥとの間で伝送されるべきデータフローを伝送するために、前記サービス品質パラメータに基づいて無線ベアラを処理する。アクセスネットワークノードの要件に従ってＵＥ上の無線ベアラを処理し、前記無線ベアラにより、コアネットワークとＵＥとの間で伝送されるべきデータフローを伝送する。本発明によれば、実際のデータフローサービス品質に応じて無線ベアラを確立または修正することができるため、同じサービス品質を有する複数のデータフローを事実上無線ベアラにマッピングすることができ、それによってシグナリングプロセスの複雑さを低減し、トラフィック伝送の品質を保証し、そしてスペシャルパケットの処理をサポートする。【選択図】図３
2019525593.tif 000002
【特許請求の範囲】
【請求項１】
コアネットワーク制御エンティティからアクセスネットワークノードに送信されたサービス品質パラメータを確定するステップと、
コアネットワークとＵＥとの間で伝送されるべきデータフローを伝送するために、前記サービス品質パラメータに基づいて無線ベアラを処理するステップとを備えることを特徴とするデータフローを伝送する無線ベアラの処理方法。
【請求項２】
アクセスネットワークノードに送信された前記サービス品質パラメータは、シグナリグプレーンメッセージにより、前記サービス品質パラメータをアクセスネットワークノードに送信されたものであり、
または、アクセスネットワークノードに送信された前記サービス品質パラメータは、アクセスネットワークノードに送信されるデータパケットに前記サービス品質パラメータを含ませて、アクセスネットワークノードに送信されたものであることを特徴とする請求項１に記載のデータフローを伝送する無線ベアラの処理方法。
【請求項３】
シグナリグプレーンメッセージにより、前記サービス品質パラメータをアクセスネットワークノードに送信したとき、前記サービス品質パラメータに基づいて無線ベアラを処理する場合、
従来のアクセスネットワークとＵＥとの間の無線ベアラ中で前記サービス品質パラメータ要件を満たす無線ベアラを検索し、前記サービス品質パラメータ要件を満たす無線ベアラが見つかった後、前記無線ベアラを通じて、コアネットワーク制御エンティティのＵＥに伝送されるべきデータフローを、伝送し、
または、従来のアクセスネットワークとＵＥとの間の無線ベアラ中で前記サービス品質パラメータ要件を満たす無線ベアラを検索し、前記サービス品質パラメータ要件を満たす無線ベアラが見つからなかった場合、アクセスネットワークのリソースに基づいて前記サービス品質パラメータ要件を満たす無線ベアラを確立できるか否かを確定し、確立できれば、前記サービス品質パラメータ要件を満たす無線ベアラを確立し、前記確立された無線ベアラを通じて、コアネットワーク制御エンティティのＵＥに伝送されるべきデータフローを、伝送し、
または、従来のアクセスネットワークとＵＥとの間の無線ベアラ中で前記サービス品質パラメータ要件を満たす無線ベアラを検索し、無線ベアラ再設定フローにおいて、前記サービス品質パラメータ要件を満たす無線ベアラのうちの１つの無線ベアラを再設定し、前記サービス品質パラメータ要件を満たした後、前記無線ベアラを通じて、コアネットワーク制御エンティティのＵＥに伝送されるべきデータフローを、伝送することを特徴とする請求項２に記載のデータフローを伝送する無線ベアラの処理方法。
【請求項４】
アクセスネットワークのリソースに基づいて前記サービス品質パラメータ要件を満たす無線ベアラを確立できるか否かを確定し、アクセスネットワークのリソースが前記データフローに必要とするビットレート要件を満たすか否かに基づいて確定することを特徴とする請求項３に記載のデータフローを伝送する無線ベアラの処理方法。
【請求項５】
アクセスネットワークノードに送信されるデータパケットに前記サービス品質パラメータを含ませてアクセスネットワークノードに送信された後、前記サービス品質パラメータに基づいて無線ベアラを処理する場合、
従来のアクセスネットワークとＵＥとの間の無線ベアラ中で前記サービス品質パラメータ要件を満たす無線ベアラを検索し、前記サービス品質パラメータ要件を満たす無線ベアラが見つかった後、前記見つかった無線ベアラを通じてコアネットワーク制御エンティティからのデータパケットをＵＥに伝送し、
または、従来のアクセスネットワークとＵＥとの間の無線ベアラ中で前記サービス品質パラメータ要件を満たす無線ベアラを検索し、前記サービス品質パラメータ要件を満たす無線ベアラが見つからなかった場合、前記サービス品質パラメータ要件を満たす無線ベアラを確立し、前記確立された無線ベアラを通じて、コアネットワーク制御エンティティからのデータパケットをＵＥに伝送することを特徴とする請求項２に記載のデータフローを伝送する無線ベアラの処理方法。
【請求項６】
無線ベアラを確立し、かつ、前記無線ベアラを通じて、コアネットワーク制御エンティティからのデータパケットをＵＥに伝送する場合、
新無線ベアラを確立し、前記サービス品質パラメータ要件に基づき、前記新無線ベアラのためにＬ１及びＬ２オプションを設定し、設定完了した後、前記無線ベアラを通じて、コアネットワーク制御エンティティからのデータパケットをＵＥに伝送することを特徴とする請求項５に記載のデータフローを伝送する無線ベアラの処理方法。
【請求項７】
所定のタイマーに基づき、確立された無線ベアラを解放し、
及び/または、コアネットワーク制御エンティティからデータフロー伝送終了の通知を受信した場合、確立された無線ベアラを解放することを特徴とする請求項１ないし請求項６のいずれか１項に記載のデータフローを伝送する無線ベアラの処理方法。
【請求項８】
コアネットワークとＵＥとの間で伝送されるべきデータフローにアップリンクデータフローが含まれる場合、
アップリンクデータを伝送するためのアップリンク無線ベアラを確立または再設定する場合、アクセスネットワークノードを通じて、前記アップリンク無線ベアラの関連パラメータ、及びアップリンクデータフローとアップリンク無線ベアラとの間のマッピング関係を、ＵＥに通知することを特徴とする請求項１ないし請求項６のいずれか１項に記載のデータフローを伝送する無線ベアラの処理方法。
【請求項９】
前記サービス品質パラメータは、
前記データフローのサービス品質要件と、前記データフローの伝送属性と、スペシャルデータパケットの特性とのうちの１つまたはこれらの組み合わせを含むことを特徴とする請求項１ないし請求項６のいずれか１項に記載のデータフローを伝送する無線ベアラの処理方法。
【請求項１０】
前記サービス品質パラメータにスペシャルデータパケットの特性が含まれる場合、
スペシャルデータパケットの特性及び/またはアクセスネットワークノード上の所定のデータパケット処理ルールに基づき、前記データフロー内のデータパケットを識別し、
データパケットの要件に基づき、識別されたデータパケットを処理することを特徴とする請求項９に記載のデータフローを伝送する無線ベアラの処理方法。
【請求項１１】
アクセスネットワークノードの要件に従ってＵＥ上の無線ベアラを処理し、
前記無線ベアラにより、コアネットワークとＵＥとの間で伝送されるべきデータフローを伝送するステップとを備え、
前記アクセスネットワークノードの要件は、アクセスネットワークノードがコアネットワーク制御エンティティからアクセスネットワークノードに発送されたサービス品質パラメータに基づき、行われることを特徴とするデータフローを伝送する無線ベアラの処理方法。
【請求項１２】
コアネットワークとＵＥとの間で伝送されるべきデータフローにアップリンクデータフローが含まれる場合、
ＵＥによって伝送されるべきアップリンクデータフローを確定し、コアネットワーク制御エンティティに通知することを特徴とする請求項１１に記載のデータフローを伝送する無線ベアラの処理方法。
【請求項１３】
通知を受信し、
前記通知には、アップリンクデータフローを伝送するアップリンク無線ベアラの関連パラメータと、アップリンクデータフローとアップリンク無線ベアラとの間のマッピング関係とが含まれることを特徴とする請求項１１または請求項１２に記載のデータフローを伝送する無線ベアラの処理方法。
【請求項１４】
コアネットワーク制御エンティティからアクセスネットワークノードに送信されたサービス品質パラメータを確定する確定モジュールと、
コアネットワークとＵＥとの間で伝送されるべきデータフローを伝送するために、前記サービス品質パラメータに基づいて無線ベアラを処理する処理モジュールとを備えることを特徴とするデータフローを伝送する無線ベアラ処理装置。
【請求項１５】
確定モジュールは、シグナリグプレーンメッセージによりコアネットワーク制御エンティティからアクセスネットワークノードに送信されたサービス品質パラメータに基づき、サービス品質パラメータ確定し、または、アクセスネットワークノードに送信されたデータパケットに含まれたサービス品質パラメータに基づき、サービス品質パラメータを確定することを特徴とする請求項１４に記載のデータフローを伝送する無線ベアラ処理装置。
【請求項１６】
処理モジュールは、シグナリグプレーンメッセージにより前記サービス品質パラメータをアクセスネットワークノードに送信した場合、
従来のアクセスネットワークとＵＥとの間の無線ベアラ中で前記サービス品質パラメータ要件を満たす無線ベアラを検索し、前記サービス品質パラメータ要件を満たす無線ベアラが見つかった後、前記無線ベアラを通じて、コアネットワーク制御エンティティのＵＥに伝送されるべきデータフローを、伝送し、
または、従来のアクセスネットワークとＵＥとの間の無線ベアラ中で前記サービス品質パラメータ要件を満たす無線ベアラを検索し、前記サービス品質パラメータ要件を満たす無線ベアラが見つからなかった場合、アクセスネットワークのリソースに基づいて前記サービス品質パラメータ要件を満たす無線ベアラを確立できるか否かを確定し、確立できれば、前記サービス品質パラメータ要件を満たす無線ベアラを確立し、前記確立された無線ベアラを通じて、コアネットワーク制御エンティティのＵＥに伝送されるべきデータフローを、伝送し、
または、従来のアクセスネットワークとＵＥとの間の無線ベアラ中で前記サービス品質パラメータ要件を満たす無線ベアラを検索し、無線ベアラ再設定フローにおいて、前記サービス品質パラメータ要件を満たす無線ベアラのうちの１つの無線ベアラを再設定し、前記サービス品質パラメータ要件を満たした後、前記無線ベアラを通じて、コアネットワーク制御エンティティのＵＥに伝送されるべきデータフローを、伝送することを特徴とする請求項１５に記載のデータフローを伝送する無線ベアラ処理装置。
【請求項１７】
処理モジュールは、アクセスネットワークのリソースに基づいて前記サービス品質パラメータ要件を満たす無線ベアラを確立できるか否かを確定する場合、アクセスネットワークのリソースが前記データフローに必要とするビットレート要件を満たすか否かに基づいて確定することを特徴とする請求項１６に記載のデータフローを伝送する無線ベアラ処理装置。
【請求項１８】
処理モジュールは、アクセスネットワークノードに送信するデータパケットに前記サービス品質パラメータを含ませてアクセスネットワークノードに送信した場合、
従来のアクセスネットワークとＵＥとの間の無線ベアラ中で前記サービス品質パラメータ要件を満たす無線ベアラを検索し、前記サービス品質パラメータ要件を満たす無線ベアラが見つかった後、前記見つかった無線ベアラを通じてコアネットワーク制御エンティティからのデータパケットをＵＥに伝送し、
または、従来のアクセスネットワークとＵＥとの間の無線ベアラ中で前記サービス品質パラメータ要件を満たす無線ベアラを検索し、前記サービス品質パラメータ要件を満たす無線ベアラが見つからなかった場合、前記サービス品質パラメータ要件を満たす無線ベアラを確立し、前記確立された無線ベアラを通じて、コアネットワーク制御エンティティからのデータパケットをＵＥに伝送することを特徴とする請求項１５に記載のデータフローを伝送する無線ベアラ処理装置。
【請求項１９】
処理モジュールは、無線ベアラを確立し、前記無線ベアラを通じて、コアネットワーク制御エンティティからのデータパケットをＵＥに伝送する場合、新無線ベアラを確立し、前記サービス品質パラメータ要件に基づき、前記新無線ベアラのためにＬ１及びＬ２オプションを設定し、設定完了した後、前記無線ベアラを通じて、コアネットワーク制御エンティティからのデータパケットをＵＥに伝送することを特徴とする請求項１８に記載のデータフローを伝送する無線ベアラ処理装置。
【請求項２０】
処理モジュールは、所定のタイマーに基づき、確立された無線ベアラを解放し、及び/または、コアネットワーク制御エンティティからデータフロー伝送終了の通知を受信した場合、確立された無線ベアラを解放することを特徴とする請求項１４ないし請求項１９のいずれか１項に記載のデータフローを伝送する無線ベアラ処理装置。
【請求項２１】
処理モジュールは、コアネットワークとＵＥとの間で伝送されるべきデータフローにアップリンクデータフローが含まれる場合、アップリンクデータを伝送するアップリンク無線ベアラを確立するとき、前記アップリンク無線ベアラの関連パラメータ、及びアップリンクデータフローとアップリンク無線ベアラとの間のマッピング関係を、ＵＥに通知することを特徴とする請求項１４ないし請求項１９のいずれか１項に記載のデータフローを伝送する無線ベアラ処理装置。
【請求項２２】
前記サービス品質パラメータは、
前記データフローのサービス品質要件と、前記データフローの伝送属性と、スペシャルデータパケットの特性とのうちの１つまたはこれらの組み合わせを含むことを特徴とする請求項１４ないし請求項１９のいずれか１項に記載のデータフローを伝送する無線ベアラ処理装置。
【請求項２３】
前記処理モジュールは、前記サービス品質パラメータにスペシャルデータパケットの特性が含まれる場合、スペシャルデータパケットの特性及び/またはアクセスネットワークノード上の所定のデータパケット処理ルールに基づき、前記データフロー内のデータパケットを識別し、データパケットの要件に基づき、識別されたデータパケットを処理することを特徴とする請求項２２に記載のデータフローを伝送する無線ベアラ処理装置。
【請求項２４】
アクセスネットワークノードの要件に従ってＵＥ上の無線ベアラを処理するＵＥ処理モジュールと、
前記無線ベアラを通じて、コアネットワークとＵＥとの間で伝送されるべきデータフローを伝送する伝送モジュールとを備え、
前記アクセスネットワークノードの要件は、アクセスネットワークノードがコアネットワーク制御エンティティからアクセスネットワークノードに発送されたサービス品質パラメータに基づき、行われることを特徴とするデータフローを伝送する無線ベアラ処理装置。 
【請求項２５】
ＵＥ処理モジュールは、コアネットワークとＵＥとの間で伝送されるべきデータフローにアップリンクデータフローが含まれる場合、ＵＥによって伝送されるべきアップリンクデータフローを確定し、コアネットワーク制御エンティティに通知することを特徴とする請求項２４に記載のデータフローを伝送する無線ベアラ処理装置。 
【請求項２６】
ＵＥ処理モジュールは、さらに、通知を受信し、前記通知には、アップリンクデータフローを伝送するアップリンク無線ベアラの関連パラメータと、アップリンクデータフローとアップリンク無線ベアラとの間のマッピング関係とが含まれることを特徴とする請求項２４または請求項２５に記載のデータフローを伝送する無線ベアラ処理装置。 
【請求項２７】
プロセッサと、メモリと、送受信機とを備え、
前記送受信機は、プロセッサの制御によりデータを送受信し、
メモリには所定のプログラムが格納されており、
前記プロセッサは、メモリに格納されているプログラムを読み出し、請求項１ないし請求項１０のいずれか１項に記載に記載の前記方法を実行することを特徴とするアクセスネットワークノード装置。
【請求項２８】
プロセッサと、メモリと、送受信機とを備え、
前記送受信機は、プロセッサの制御によりデータを送受信し、
メモリには所定のプログラムが格納されており、
前記プロセッサは、メモリに格納されているプログラムを読み出し、請求項１１ないし請求項１３のいずれか１項に記載の前記方法を実行することを特徴とするユーザー機器。
【請求項２９】
前記コンピュータ記憶媒体にコンピュータ実行可能命令が格納されており、前記コンピュータ実行可能命令は、前記コンピュータに請求項１ないし請求項１０のいずれか１項に記載の前記方法を実行させることを特徴とするコンピュータ記憶媒体。
【請求項３０】
前記コンピュータ記憶媒体にコンピュータ実行可能命令が格納されており、前記コンピュータ実行可能命令は、前記コンピュータに請求項１１ないし請求項１３のいずれか１項に記載の前記方法を実行させることを特徴とするコンピュータ記憶媒体。
【発明の詳細な説明】
【技術分野】
【０００１】
本発明は通信技術分野に関し、特に、データフローを伝送する無線ベアラの処理方法及び装置に関する。
【背景技術】
【０００２】
図１は、従来のロングタームエボリューション（Ｌｌｏｎｇ Ｔｅｒｍ Ｅｖｏｌｕｔｉｏｎ，ＬＴＥ）システムにおけるベアラのモデルの概略図である。図示のように、従来のＬＴＥシステムのベアラは複数のレイヤで互いにマッピングされている。すなわち、ＥＰＳ Ｂｅａｒｅｒ（ＥＰＳベアラ、ＥＰＳ：Ｅｖｏｌｖｅｄ Ｐａｃｋｅｔ Ｓｙｓｔｅｍ，進化型パケットシステム）とＥ−ＲＡＢ（Ｅ−ＵＴＲＡＮ Ｒａｄｉｏ Ａｃｃｅｓｓ Ｂｅａｒｅｒ，Ｅ−ＵＴＲＡＮ無線アクセスベアラ，Ｅ−ＵＴＲＡＮ：Ｅｖｏｌｕｔｉｏｎ−Ｕｎｉｖｅｒｓａｌ Ｔｅｒｒｅｓｔｒｉａｌ Ｒａｄｉｏ Ａｃｃｅｓｓ Ｎｅｔｗｏｒｋ）の間のマッピングは、１対１のマッピングであり、アクセスネットワークＥ−ＲＡＢとエアインターフェースＲａｄｉｏ Ｂｅａｒｅｒ（無線ベアラ）の間にも、１対１のマッピングである。
【０００３】
従来のＬＴＥシステムでは、各ＥＰＳベアラは、エアインタフェースを介して１つのエアインタフェース無線ベアラにしかマッピングすることができず、また、Ｓ1−Ｕインタフェースインタフェースを介して各ＥＰＳベアラに対して別々のトンネルが設定される。１対１のマッピングの場合、設定もデータパケットの伝送も１対１のチャネルメカニズムで簡単に送信することができる。しかしながら、５Ｇシステムでは、コアネットワークから無線アクセスネットワーク（Ｒａｄｉｏ Ａｃｃｅｓｓ Ｎｅｔｗｏｒｋ，ＲＡＮ）側に送信されるデータフローは、もはや１対１のやり方でＲＡＮ側にマッピングされず、コアネットワークからのデータフローより細かいデータフロである可能性があるため、ＲＡＮ側は自分のベアラマッピング方法を決定し、設定プロセスを実行する必要があり、その結果、データを後で正しく送信することができ、サービス品質を保証することができる。
【０００４】
従来技術の欠点は、データフローがもはや１対１のやり方でＲＡＮ側ベアラにマッピングされない場合、ＲＡＮ側へのベアラマッピングに対する解決策がこれまで存在しないことにある。
【発明の概要】
【発明が解決しようとする課題】
【０００５】
本発明に係る実施例は、データフローを伝送する無線ベアラの処理方法及び装置を提供し、ＲＡＮ側へのベアラマッピング対する解決策がこれまで存在しない従来の問題点を解決する。
【課題を解決するための手段】
【０００６】
第１態様によれば、本発明の実施例に係るデータフローを伝送する無線ベアラの処理方法は、コアネットワーク制御エンティティからアクセスネットワークノードに送信されたサービス品質パラメータを確定するステップと、コアネットワークとＵＥとの間で伝送されるべきデータフローを伝送するために、前記サービス品質パラメータに基づいて無線ベアラを処理するステップとを備える。
【０００７】
好ましくは、アクセスネットワークノードに送信された前記サービス品質パラメータは、シグナリグプレーンメッセージにより、前記サービス品質パラメータをアクセスネットワークノードに送信されたものであり、または、アクセスネットワークノードに送信された前記サービス品質パラメータは、アクセスネットワークノードに送信されるデータパケットに前記サービス品質パラメータを含ませて、アクセスネットワークノードに送信されたものである。
【０００８】
好ましくは、シグナリグプレーンメッセージにより、前記サービス品質パラメータをアクセスネットワークノードに送信した場合、前記サービス品質パラメータに基づいて無線ベアラを処理するステップでは、従来のアクセスネットワークとＵＥとの間の無線ベアラ中で前記サービス品質パラメータ要件を満たす無線ベアラを検索し、前記サービス品質パラメータ要件を満たす無線ベアラが見つかった後、前記無線ベアラを通じて、コアネットワーク制御エンティティのＵＥに伝送されるべきデータフローを、伝送し、または、従来のアクセスネットワークとＵＥとの間の無線ベアラ中で前記サービス品質パラメータ要件を満たす無線ベアラを検索し、前記サービス品質パラメータ要件を満たす無線ベアラが見つからなかった場合、アクセスネットワークのリソースに基づき、前記サービス品質パラメータ要件を満たす無線ベアラを確立できるか否かを確定し、確立できれば、前記サービス品質パラメータ要件を満たす無線ベアラを確立し、前記確立された無線ベアラを通じて、コアネットワーク制御エンティティのＵＥに伝送されるべきデータフローを、伝送し、または、従来のアクセスネットワークとＵＥとの間の無線ベアラ中で前記サービス品質パラメータ要件を満たす無線ベアラを検索し、無線ベアラ再設定フローにおいて、前記サービス品質パラメータ要件を満たす無線ベアラのうちの１つの無線ベアラを再設定し、前記サービス品質パラメータ要件を満たした後、前記無線ベアラを通じて、コアネットワーク制御エンティティのＵＥに伝送されるべきデータフローを、伝送する。
【０００９】
好ましくは、アクセスネットワークのリソースに基づき、前記サービス品質パラメータ要件を満たす無線ベアラを確立できるか否かを確定し、アクセスネットワークのリソースが前記データフローに必要とするビットレート要件を満たすか否かに基づいて確定する。
好ましくは、前記サービス品質パラメータは以下情報のうちの１つまたはこれらの組み合わせを含み、前記データフローのサービス品質要件と、前記データフローの伝送属性と、スペシャルデータパケットの特性とのうちの１つまたはこれらの組み合わせを含む。
【００１０】
好ましくは、前記サービス品質パラメータにスペシャルデータパケットの特性が含まれる場合、スペシャルデータパケットの特性及び/またはアクセスネットワークノード上の所定のデータパケット処理ルールに基づき、前記データフロー内のデータパケットを識別し、データパケットの要件に基づき、識別されたデータパケットを処理する。
【００１１】
好ましくは、アクセスネットワークノードに送信されるデータパケットに前記サービス品質パラメータを含ませてアクセスネットワークノードに送信された後、前記サービス品質パラメータに基づいて無線ベアラを処理する場合、従来のアクセスネットワークとＵＥとの間の無線ベアラ中で前記サービス品質パラメータ要件を満たす無線ベアラを検索し、前記サービス品質パラメータ要件を満たす無線ベアラが見つかった後、前記見つかった無線ベアラを通じてコアネットワーク制御エンティティからのデータパケットをＵＥに伝送し、または、従来のアクセスネットワークとＵＥとの間の無線ベアラ中で前記サービス品質パラメータ要件を満たす無線ベアラを検索し、前記サービス品質パラメータ要件を満たす無線ベアラが見つからなかった場合、前記サービス品質パラメータ要件を満たす無線ベアラを確立し、前記確立された無線ベアラを通じて、コアネットワーク制御エンティティからのデータパケットをＵＥに伝送する。
【００１２】
好ましくは、無線ベアラを確立し、かつ、前記無線ベアラを通じて、コアネットワーク制御エンティティからのデータパケットをＵＥに伝送する場合、新無線ベアラを確立し、前記サービス品質パラメータ要件に基づき、前記新無線ベアラのためにＬ１及びＬ２オプションを設定し、設定完了した後、前記無線ベアラを通じて、コアネットワーク制御エンティティからのデータパケットをＵＥに伝送する。
【００１３】
好ましくは、所定のタイマーに基づき、確立された無線ベアラを解放し、及び/または、コアネットワーク制御エンティティからデータフロー伝送終了の通知を受信した場合、確立された無線ベアラを解放する。
【００１４】
好ましくは、コアネットワークとＵＥとの間で伝送されるべきデータフローにアップリンクデータフローが含まれる場合、アップリンクデータを伝送するためのアップリンク無線ベアラを確立または再設定する場合、アクセスネットワークノードを通じて、前記アップリンク無線ベアラの関連パラメータ、及びアップリンクデータフローとアップリンク無線ベアラとの間のマッピング関係を、ＵＥに通知する。
【００１５】
第２態様によれば、本発明の実施例に係るデータフローを伝送する無線ベアラの処理方法は、アクセスネットワークノードの要件に従ってＵＥ上の無線ベアラを処理するステップと、前記無線ベアラにより、コアネットワークとＵＥとの間で伝送されるべきデータフローを伝送するステップとを備え、前記アクセスネットワークノードの要件は、アクセスネットワークノードがコアネットワーク制御エンティティからアクセスネットワークノードに発送されたサービス品質パラメータに基づき、行われる。
【００１６】
好ましくは、コアネットワークとＵＥとの間で伝送されるべきデータフローにアップリンクデータフローが含まれる場合、ＵＥによって伝送されるべきアップリンクデータフローを確定し、コアネットワーク制御エンティティに通知する。
好ましくは、通知を受信し、前記通知には、アップリンクデータフローを伝送するアップリンク無線ベアラの関連パラメータと、アップリンクデータフローとアップリンク無線ベアラとの間のマッピング関係とが含まれる。
【００１７】
第３態様によれば、本発明の実施例に係るデータフローを伝送する無線ベアラ処理装置は、コアネットワーク制御エンティティからアクセスネットワークノードに送信されたサービス品質パラメータを確定する確定モジュールと、コアネットワークとＵＥとの間で伝送されるべきデータフローを伝送するために、前記サービス品質パラメータに基づいて無線ベアラを処理する処理モジュールとを備える。
好ましくは、確定モジュールは、シグナリグプレーンメッセージによりコアネットワーク制御エンティティからアクセスネットワークノードに送信されたサービス品質パラメータに基づき、サービス品質パラメータ確定し、または、アクセスネットワークノードに送信されたデータパケットに含まれたサービス品質パラメータに基づき、サービス品質パラメータを確定する。
【００１８】
好ましくは、処理モジュールがシグナリグプレーンメッセージにより、前記サービス品質パラメータをアクセスネットワークノードに送信した場合、前記サービス品質パラメータに基づいて無線ベアラを処理する場合、従来のアクセスネットワークとＵＥとの間の無線ベアラ中で前記サービス品質パラメータ要件を満たす無線ベアラを検索し、前記サービス品質パラメータ要件を満たす無線ベアラが見つかった後、前記無線ベアラを通じて、コアネットワーク制御エンティティのＵＥに伝送されるべきデータフローを、伝送し、または、従来のアクセスネットワークとＵＥとの間の無線ベアラ中で前記サービス品質パラメータ要件を満たす無線ベアラを検索し、前記サービス品質パラメータ要件を満たす無線ベアラが見つからなかった場合、アクセスネットワークのリソースに基づき、前記サービス品質パラメータ要件を満たす無線ベアラを確立できるか否かを確定し、確立できれば、前記サービス品質パラメータ要件を満たす無線ベアラを確立し、前記確立された無線ベアラを通じて、コアネットワーク制御エンティティのＵＥに伝送されるべきデータフローを、伝送し、または、従来のアクセスネットワークとＵＥとの間の無線ベアラ中で前記サービス品質パラメータ要件を満たす無線ベアラを検索し、無線ベアラ再設定フローにおいて、前記サービス品質パラメータ要件を満たす無線ベアラのうちの１つの無線ベアラを再設定し、前記サービス品質パラメータ要件を満たした後、前記無線ベアラを通じて、コアネットワーク制御エンティティのＵＥに伝送されるべきデータフローを、伝送する。
好ましくは、処理モジュールは、アクセスネットワークのリソースに基づいて前記サービス品質パラメータ要件を満たす無線ベアラを確立できるか否かを確定する場合、アクセスネットワークのリソースが前記データフローに必要とするビットレート要件を満たすか否かに基づいて確定する。
【００１９】
好ましくは、前記サービス品質パラメータは、前記データフローのサービス品質要件と、前記データフローの伝送属性と、スペシャルデータパケットの特性とのうちの１つまたはこれらの組み合わせを含む。
好ましくは、処理モジュールは、前記サービス品質パラメータにスペシャルデータパケットの特性が含まれる場合、スペシャルデータパケットの特性及び/またはアクセスネットワークノード上の所定のデータパケット処理ルールに基づき、前記データフロー内のデータパケットを識別し、データパケットの要件に基づき、識別されたデータパケットを処理する。
【００２０】
好ましくは、処理モジュールがクセスネットワークノードに送信されるデータパケットに前記サービス品質パラメータを含ませてアクセスネットワークノードに送信された後、前記サービス品質パラメータに基づいて無線ベアラを処理する場合、従来のアクセスネットワークとＵＥとの間の無線ベアラ中で前記サービス品質パラメータ要件を満たす無線ベアラを検索し、前記サービス品質パラメータ要件を満たす無線ベアラが見つかった後、前記見つかった無線ベアラを通じてコアネットワーク制御エンティティからのデータパケットをＵＥに伝送し、または、従来のアクセスネットワークとＵＥとの間の無線ベアラ中で前記サービス品質パラメータ要件を満たす無線ベアラを検索し、前記サービス品質パラメータ要件を満たす無線ベアラが見つからなかった場合、前記サービス品質パラメータ要件を満たす無線ベアラを確立し、前記確立された無線ベアラを通じて、コアネットワーク制御エンティティからのデータパケットをＵＥに伝送する。
【００２１】
好ましくは、処理モジュールが無線ベアラを確立し、前記無線ベアラを通じて、コアネットワーク制御エンティティからのデータパケットをＵＥに伝送する場合、新無線ベアラを確立し、前記サービス品質パラメータ要件に基づき、Ｌ１及びＬ２の設定を行い、設定完了した後、前記無線ベアラを通じて、コアネットワーク制御エンティティからのデータパケットをＵＥに伝送する。
【００２２】
好ましくは、処理モジュールは、所定のタイマーに基づき、確立された無線ベアラを解放し、及び/または、コアネットワーク制御エンティティからデータフロー伝送終了の通知を受信した場合、確立された無線ベアラを解放する。
好ましくは、処理モジュールは、コアネットワークとＵＥとの間で伝送されるべきデータフローにアップリンクデータフローが含まれる場合、アップリンクデータを伝送するアップリンク無線ベアラを確立するとき、前記アップリンク無線ベアラの関連パラメータ、及びアップリンクデータフローとアップリンク無線ベアラとの間のマッピング関係を、ＵＥに通知する。
【００２３】
第４態様によれば、本発明の実施例に係るデータフローを伝送する無線ベアラ処理装置は、アクセスネットワークノードの要件に従ってＵＥ上の無線ベアラを処理し、前記アクセスネットワークノードの要件は、アクセスネットワークノードがコアネットワーク制御エンティティからアクセスネットワークノードに発送されたサービス品質パラメータに基づき、行われるＵＥ処理モジュールと、前記無線ベアラを通じて、コアネットワークとＵＥとの間で伝送されるべきデータフローを伝送する伝送モジュールとを備える。
【００２４】
好ましくは、ＵＥ処理モジュールは、コアネットワークとＵＥとの間で伝送されるべきデータフローにアップリンクデータフローが含まれる場合、ＵＥによって伝送されるべきアップリンクデータフローを確定し、コアネットワーク制御エンティティに通知する。
好ましくは、ＵＥ処理モジュールは、さらに、通知を受信し、前記通知には、アップリンクデータフローを伝送するアップリンク無線ベアラの関連パラメータと、アップリンクデータフローとアップリンク無線ベアラとの間のマッピング関係とが含まれる
【００２５】
第５態様によれば、本発明の実施例に係るアクセスネットワークノード装置は、プロセッサと、メモリと、送受信機とを備え、前記送受信機は、プロセッサの制御によりデータを送受信し、メモリには所定のプログラムが格納されており、前記プロセッサは、メモリに格納されているプログラムを読み出し、第１態様中のいずれか１つの前記方法を実行する。
【００２６】
第６態様によれば、本発明実の施例に係るユーザー機器は、プロセッサと、メモリと、送受信機とを備え、前記送受信機は、プロセッサの制御によりデータを送受信し、メモリには所定のプログラムが格納されており、前記プロセッサは、メモリに格納されているプログラムを読み出し、第２態様中のいずれか１つの前記方法を実行する。
【００２７】
第７態様によれば、コンピュータ記憶媒体において、前記コンピュータ記憶媒体にコンピュータ実行可能命令が格納されており、前記コンピュータ実行可能命令は、前記コンピュータに、第１態様中のいずれか１つの前記方法を実行させる。
【００２８】
第８態様によれば、コンピュータ記憶媒体において、前記コンピュータ記憶媒体にコンピュータ実行可能命令が格納されており、前記コンピュータ実行可能命令は、前記コンピュータに、第２態様中のいずれか１つの前記方法を実行させ。
【発明の効果】
【００２９】
本発明の実施例に係る技術案によれば、コアネットワークは、ＵＥとの間で伝送されるべきデータフローを有すれば、サービス品質パラメータをアクセスネットワークノードに送信する。また、アクセスネットワークノードは、コアネットワークとＵＥとの間で伝送されるべきデータフローを伝送するために、サービス品質パラメータに基づき、無線ベアラを処理する。実際のデータフローサービス品質確立または無線ベアラの訂正が可能であるため、本技術案を採用することにより、同じサービス品質を有する複数のデータフローを事実上無線ベアラにマッピングすることができ、それによってシグナリングプロセスの複雑さを低減し、トラフィック伝送の品質を保証し、そしてスペシャルパケットの処理をサポートする。
【００３０】
本明細書に記載の図面は、本発明に対するさらなる理解のためのものであり、本発明の一部、ならびに本発明の例示的な実施形態を構成することを意図しており、その説明は本発明を解釈することを意図するが、本発明を不当に限定するものではない。
【図面の簡単な説明】
【００３１】
【図１】従来のＬＴＥシステムにおけるベアラモデール図である。
【図２】本発明の実施例に係るコアネットワーク制御エンティティ側上のデータフローを伝送する無線ベアラの処理方法のフローチャートである。
【図３】本発明の実施例に係るアクセスネットワークノード側上のデータフローを伝送する無線ベアラの処理方法のフローチャートである。
【図４】本発明の実施例に係るＵＥ側のデータフローを伝送する無線ベアラの処理方法のフローチャートである。
【図５】本発明の実施例に係るＥ−ＲＡＢの確立のフローチャートである。
【図６】本発明の実施例に係るＲＲＣ接続の再設定プロセスを示す図である。
【図７】本発明の実施例に係るアクセスネットワークノード側のデータフローを伝送する無線ベアラ処理装置の構成図である。
【図８】本発明の実施例に係るＵＥ側のデータフローを伝送する無線ベアラ処理装置の構成図である。
【図９】本発明の実施例に係るアクセスネットワークノードの構成図である。
【図１０】本発明の実施例に係るＵＥの構成図である。
【発明を実施するための形態】
【００３２】
従来のシステムでは、コアネットワークのEPSベアラは、アクセスネットワークの無線ベアラに１対１でマッピングされ、アクセスネットワークは、S１メッセージ内のベアラ設定情報に従ってエアインターフェースの無線ベアラを設定する。一方、５Ｇシステムでは、より柔軟なデータフロー管理メカニズムが従来のコアネットワークにとって望ましく、これは、コアネットワークのデータとアクセスネットワークベアラとの間の単純な１対１マッピング関係がもはや満足できるものではないことを意味する。本発明の実施例では、コアネットワークの柔軟なデータフローメカニズムに対応し、サービス品質を保証するために、新しいアーキテクチャにおいてアクセスネットワークによって無線ベアラを設定し維持するための技術案が提供される。こうして、システム効率及びユーザー体験を向上する。以下、図面を参照しながら本発明の実施形態を説明する。
【００３３】
本発明の実施例に係る技術案において、コアネットワーク制御エンティティは、シグナリングプロセスにより、コアネットワークのデータ属性をアクセスネットワークノードのために設定し、アクセスネットワークノードは、コアネットワークデータの無線ベアラへのマッピングを決定し、無線ベアラを確立及び維持し、アクセスネットワークノードは、アップリンク及びダウンリンク無線ベアラの管理及び設定に参与する。
【００３４】
ここで、コアネットワーク制御エンティティは、５Ｇシステムにおいてコアネットワーク関連制御機能を担当するエンティティであり、例えば、ＬＴＥシステムにおけるＭＭＥ（Ｍｏｂｉｌｉｔｙ Ｍａｎａｇｅｍｅｎｔ Ｅｎｔｉｔｙ）と類似する。
アクセスネットワークノードは、５Ｇシステムにおけるアクセスネットワーク側で制御機能を担当するエンティティであり、分散式のアクセスノードであることができ、例えば、ＬＴＥシステムにおけるｅＮＢノードと類似し、また、集中式のアクセスネットワーク集中制御ノードであることもできる。
【００３５】
ダウンリンクデータ伝送を処理する場合、データが送信される前に、新たに出現するセッションデータフローについて、最初に、コアネットワーク制御エンティティがアクセスネットワーク制御エンティティのためにデータのＱｏＳ属性でを設定するようにシグナリングプロセスを実行することができる。その後、アクセスネットワーク制御エンティティは、当該ＱｏＳ属性に従って適切なデータ無線ベアラ（Ｄａｔａ Ｒａｄｉｏ Ｂｅａｒｅｒ，ＤＲＢ）があるかどうかを判断し、ないと判断した場合、新しいＤＲＢを設定し、アクセスネットワークユーザープレーンエンティティに、（一般に、アクセスネットワーク制御エンティティは、アクセスネットワークユーザープレーンエンティティ、たとえばｅＮＢと同じである）前記データフローを当該ＤＲＢ上で伝送するように通知する。
【００３６】
アップリンクデータ伝送を処理する場合、ＵＥ（Ｕｓｅｒ Ｅｑｕｉｐｍｅｎｔ，ユーザー機器）は、まず、伝送されるべきアップリンクデータフローについて、コアネットワーク制御エンティティとインターアクトし、コアネットワーク制御エンティティによりそのＱｏＳ属性を決定する。コアネットワーク制御エンティティは、アップリンクのＱｏＳ属性をアクセスネットワーク制御エンティティのために設定する必要があり、ＵＥにも設定する。そして、アクセスネットワーク制御エンティティは、当該ＱｏＳ属性により、適宜のＤＲＢを有無を決定し、ないであれば、新ＤＲＢを確立して、ＵＥに、前記データフローを当該ＤＲＢ上で伝送するように通知する。上記ＤＲＢの確立プロセスは、アクセスネットワークノードとＵＥとの間のプロセスである。
【００３７】
コアネットワークエンティティが実施に関与するとき、一般に、コアネットワーク制御エンティティは、コアネットワークの制御プレーンを管理し、すべてのシグナリング関連のプロセスに関与し、コアネットワークユーザープレーンエンティティはデータ伝送のためのノードであるため、すべてのデータはコアネットワークのユーザプレーンエンティティから送信される。アクセスネットワークノードが関与する場合、一般に、アクセスネットワークノード及びアクセスネットワークユーザープレーンノードは同じノード、例えばｅＮＢであり、運用上および論理上の観点から、制御ノードは、シグナリングプロセスを実行し、ユーザープレーンノードはデータを伝送する。本発明の実施形態による技術案をよりよく説明するために、それらが同じノードである実施形態と、互いに分離している実施形態の両方が実施形態において説明される。
【００３８】
以下の説明では、コアネットワーク制御エンティティ側、アクセスネットワークノード側、およびＵＥ側での実施をそれぞれ説明し、その後、３者が互いに協働する実施をさらによく理解するために例示する。しかし、この説明は、３者が一実施形態において互いに協働しなければならないこと、または一実施形態において別々に動作しなければならないことを示唆するものではない。実際、コアネットワーク制御エンティティ側、アクセスネットワークノード側、およびＵＥ側が互いに別々に動作するとき、それらはまた、コアネットワーク制御エンティティ側、アクセスネットワークノード側、およＵＥ側、でそれぞれの問題に対処することができる。三者が協力して運営することでより良い技術的効果が得られる。
【００３９】
以下の説明では、ＵＥのコアネットワークへのアップリンクデータの送信、およびコアネットワークからＵＥへのダウンリンクデータの送信についてそれぞれ説明し、それらの特定の実施例を例として説明する。特に、ダウンリンクの実施は、以下の第１、第２、第３、および第４の実施例で説明され、アップリンクの実施は、以下の第５の実施形態で説明される。
図２は、コアネットワーク制御エンティティ側のデータフローを伝送する無線ベアラの処理方法のフローチャートであり、図に示すように、以下のステップを備える。 
ステップ２０１において、コアネットワークとＵＥの間で伝送されるべきデータフローが有する場合、コアネットワーク制御エンティティは、データフローの伝送に必要とするサービス品質パラメータを確定する。
ステップ２０２において、コアネットワーク制御エンティティは、前記サービス品質パラメータをアクセスネットワークノードに送信する。
【００４０】
図３は、アクセスネットワークノード側のデータフローを伝送する無線ベアラの処理方法のフローチャートであり、図に示すように、以下のステップを備える。
ステップ３０１において、コアネットワーク制御エンティティからアクセスネットワークノードに送信されたサービス品質パラメータを確定する。
【００４１】
ステップ３０２において、コアネットワークとＵＥとの間で伝送されるべきデータフローを伝送するために、前記サービス品質パラメータに基づいて無線ベアラを処理する。
実施では、前記サービス品質パラメータをアクセスネットワークノードに送信することは、ベアラ確立メッセージで前記サービス品質パラメータをアクセスネットワークノードに送信することができる。さらなる特定の実施形態は、以下の実施例１で説明される。
または、前記サービス品質パラメータをアクセスネットワークノードに送信することは、アクセスネットワークノードに送信されるべきデータパケットに前記サービス品質パラメータを含ませて、アクセスネットワークノードに送信することである。さらなる特定の実施形態は、以下の実施例２で説明される。
【００４２】
実施では、前記サービス品質パラメータは、前記データフローのサービス品質要件と、前記データフローの伝送属性と、スペシャルデータパケットの特性とのうちの１つまたはこれらの組み合わせを含む。
【００４３】
さらなる特定の実施形態は、以下の実施例１で説明される。
実施では、コアネットワークとＵＥとの間で伝送されるべきデータフローがアップリンクデータフローである場合、前記サービス品質パラメータは、ＵＥにより通知された前記コアネットワーク制御エンティティのアップリンクデータフロー伝送要件に基づいて確定された。さらなる特定の実施形態は、以下の実施例５で説明される。
【００４４】
図４はＵＥ側のデータフローを伝送する無線ベアラの処理方法のフローチャートであり、図に示すように、以下のステップを備える。
ステップ４０１において、アクセスネットワークノードの要件に従ってＵＥ上の無線ベアラを処理し、前記アクセスネットワークノードの要件は、アクセスネットワークノードがコアネットワーク制御エンティティからアクセスネットワークノードに発送されたサービス品質パラメータに基づき、行われる。
【００４５】
ステップ４０２において、前記無線ベアラにより、コアネットワークとＵＥとの間で伝送されるべきデータフローを伝送する。
ＵＥがダウンリンクデータを伝送する場合の実施は、アクセスネットワークノード実施に関する記載を参考することができるが、実施では、コアネットワークとＵＥとの間で伝送されるべきデータフローにアップリンクデータフローが含まれる場合、さらに、ＵＥによって伝送されるべきアップリンクデータフローを確定し、コアネットワーク制御エンティティに通知する。
【００４６】
実施では、前記伝送要件をコアネットワーク制御エンティティに通知するには、ＮＡＳシグナリングにより通知した。
実施では、さらに、通知を受信する。前記通知には、アップリンクデータフローを伝送するアップリンク無線ベアラの各関連パラメータ、及びアップリンクデータフローとアップリンク無線ベアラとの間のマッピング関係が含まれる。
アップリンクデータフロー伝送に関連する実施形態は実施例５で説明する。
以下、実例で具体的な実施形態を説明する。
まずは、実施に関連するＥ−ＲＡＢの確立フロー及びＲＲＣ（Ｒａｄｉｏ Ｒｅｓｏｕｒｃｅ Ｃｏｎｔｒｏｌ，無線リソース制御）接続再設定プロセスを簡単に説明し、詳しくは、他の技術文献を参考されたい。
【００４７】
図５は、Ｅ−ＲＡＢの確立フローチャートであり、図に示すように、ＭＭＥは、S１インタフェースを介してｅＮＢ（発展型ノードＢ）にＥ−ＲＡＢの確立、修正及び解放のプロセスを開始し、Ｅ−ＲＡＢの確立及び修正プロセスにおいて、ＭＭＥは、ｅＮＢに当該ＲＡＢのレートパラメータ及びＱｏＳ（Ｑｕａｌｉｔｙ ｏｆ Ｓｅｒｖｉｃｅ，サービス品質）パラメータなどを通知する。こうして、ｅＮＢがベアラのサービス品質を保証するためのアルゴリズムを実行することができる。
【００４８】
図６は、ＲＲＣ接続再設定のプロセスを示す図であり、図に示すように、アクセスネットワークプロセスにおいて、アクセスネットワークは、一般に、ＲＲＣ接続再設定プロセスで専用の無線ベアラを設定することにより、ベアラを設定する。
【００４９】
＜実施例１＞
本実施例では、ダウンリンクデータの例を挙げて、無線ベアラの確立プロセスを説明する。
本例では、サービス品質パラメータをアクセスネットワークノードに送信するには、ベアラ確立メッセージにより、前記サービス品質パラメータを、アクセスネットワークノードに送信した。
【００５０】
具体的な実施では、ＵＥに伝送されるべきダウンリンクデータを有する場合、一般的に、まず、コアネットワークユーザープレーンエンティティによって、コアネットワーク制御プレーンエンティティをトリガーし、関連伝送の確立プロセスを開始する。以下、詳しく説明する。
【００５１】
１、コアネットワーク制御プレーンエンティティサービス品質パラメータをアクセスネットワークノードに送信する。サービス品質パラメータは、前記データフローのサービス品質要件と、前記データフローの伝送属性と、スペシャルデータパケットの特性とのうちの１つまたはこれらの組み合わせを含む。
具体的に、コアネットワーク制御プレーンエンティティが送信すべき新たなダダウンリンクデータフローを検出したが、当該データフローの関連伝送及び設定がまだ確立されていない場合、コアネットワーク制御プレーンエンティティは、まず、アクセスネットワークノードにベアラ確立メッセージを送信する。
【００５２】
前記ベアラ確立メッセージに前記データフローのサービス品質要件が含まれる。アクセスネットワークノードに前記データフローのサービス品質要件を通知する。当該サービス品質要件には、ＱｏＳパラメータ、トラフィック優先順位及びレートパラメータなどが含まれる。ＱｏＳパラメータに、データ伝送の遅延特性及びブロック誤り率が含まれる。トラフィック優先順位にトラフィック優先順位レベル、及び優先使用が許容されるかどうかの属性が含まれる。レートパラメータにトラフィック最大レート及び保証ビットレートなどの属性が含まれ、ＵＥ集約レートも設定できる。
【００５３】
前記データフローの伝送属性：アクセスネットワークノードに前記データフローのいくつかの伝送属性を通知する。例えば、ＩＰデータパケットである場合、データフローの属性は次のようになる。例えば、宛先ＩＰアドレス、宛先ポート番号、送信元ＩＰアドレス、送信元ポート番号、および他のＩＰヘッダ特性など、ＩＰの５倍（ＩＰ ｑｕｉｎｔｕｐｌｅ）として表される。これらの特性により、アクセスネットワークノードは、どのデータがこのデータフローに属するかを容易に識別することができ、したがってこれらのデータに対して設定されたサービス品質を保証することができる。ＩＰデータフロー以外の別のデータフローの場合、アクセスネットワークノードはまた、データフローの明示的な属性を用いて設定され、これによって前記データフローを識別する。さらに、データフローを識別するために、フロー識別子をデータパケットに含ませることもできる。たとえば、１つのデータフローはデータフロー１、別のデータフローはデータフロー２である。データフロー識別子は、データパケットに含まれ、データフロー１の伝送パラメータおよびサービス品質は、制御プレーンプロセスで設定され、その結果、データフロー識別子が含まれるデータを受信すると、設定のとおりに伝送および処理するることができる。
【００５４】
スペシャルデータパケットの特性：アクセスネットワークノードに、スペシャルデータパケットのいくつかの特性、例えば、スペシャルデータパケットを識別するために特別なデータパケットのヘッダまたはペイロードに含まれるスペシャル識別子またはシンボルなどをさらに通知することができる。また、これらのスペシャルデータパケットのトラフィックレベルを個別に設定することができ、例えば、優先順位などを向上させることができる。典型的なアプリケーションでは、ＷｅＣｈａｔデータの中からボーナスデータに高い優先順位を設定することで渋滞を避ける。
【００５５】
２、コアネットワーク制御プレーンエンティティがアクセスネットワークノードからベアラ確立確認メッセージを受信すれば、データ伝送が設定されたと判断し、その後正常に伝送することができる。
以下、対応のアクセスネットワークノードの実施を説明する。
１、シグナリグプレーンメッセージ（例えば、ベアラ確立メッセージ）により前記サービス品質パラメータをアクセスネットワークノードに送信した場合、前記サービス品質パラメータに基づいて、以下のように無線ベアラを処理することができる。
【００５６】
従来のアクセスネットワークとＵＥとの間の無線ベアラ中で前記サービス品質パラメータ要件を満たす無線ベアラを検索し、前記サービス品質パラメータ要件を満たす無線ベアラが見つかった後、前記無線ベアラを通じて、コアネットワーク制御エンティティのＵＥに伝送されるべきデータフローを、伝送する。
【００５７】
または、従来のアクセスネットワークとＵＥとの間の無線ベアラ中で前記サービス品質パラメータ要件を満たす無線ベアラを検索し、前記サービス品質パラメータ要件を満たす無線ベアラが見つからなかった場合、アクセスネットワークのリソースに基づいて前記サービス品質パラメータ要件を満たす無線ベアラを確立できるか否かを確定し、確立できれば、無線ベアラを確立し、前記無線ベアラを通じて、コアネットワーク制御エンティティのＵＥに伝送されるべきデータフローを、伝送する。
【００５８】
具体的に、コアネットワーク制御プレーンエンティティからデータフロー確立シグナリングを受信し、当該シグナリングから前記データフローのサービス品質要件（例えば、伝送遅延及びブロック誤り率要件、トラフィック優先順位など）を取得する。これらの属性に基づき、同様な伝送条件を満たず無線ベアラが既に確立されたかを、従来の無線ベアラにおいて検索する。確立されたベアラがなければ、無線ベアラ確立プロセスを開始し、また、データフローのレート属性に基づいて、前記データフローを受け入れられるかを判断する。前記データフローの伝送を負うことができれば、受け入れが成功したと判断し、リソースが足りない場合、受け入れは失敗になる。
【００５９】
受け入れの判断につてい、アクセスネットワークのリソースに基づいて前記サービス品質パラメータ要件を満たす無線ベアラを確立できるか否かを確定してもよく、アクセスネットワークのリソースが前記データフローに必要とするビットレート要件を満たすか否かに基づいて確定することもできる。
【００６０】
具体的に、受け入れのプロセスでは、一般に、アクセスネットワークの無線リソースが当該トラフィックのレート要件を満たすことができるかどうかを判断する。一般に、保証ビットレートは、一定量のリソースの要約により保証されなければならず、そして、アクセスネットワークノードは、保証ビットレート要件及びリソースの占有状態に基づき、前記データフローを受け入れるかどうかを判断する。また、保証ビットレート要件以外の場合、例えば、ｂｅｓｔ ｅｆｆｏｒｔ（ベストエフォート型）のトラフィックも何らかのレート要件に従う必要があり、基本レートに基づいて、前記データフローを受け入れるかどうかを判断することがでる。リソースが十分であれば、受け入れは成功であり、さもないと、受け入れは失敗である。
【００６１】
アクセスネットワークノードは、一般に次のように、新たに確立されデータフローに対応する従来の無線ベアラが存在するかどうかを判断する。エアインターフェースにいかなる専用の無線ベアラがなければ、新たに確立されたデータフローに対し、新無線ベアラを確立して、エアインターフェースを介して伝送する必要がある。エアインターフェースに  いくつかの従来の専用無線ベアラがある場合、すべての従来の無線ベアラをトラバースし、無線ベアラを介したサービス品質が新たに確立されたデータフローに対するサービス品質と比較される。品質が同じであれば、データフローを従来の無線ベアラにマッピングし、同じでなければ、新無線ベアラを確立する。
【００６２】
サービスの品質が同じであることは、一般に、遅延要件、ブロック誤り率、優先順位、および他のパラメータのすべてが等しい場合にのみサービスの品質が同じになるように決定される。例えば、最大伝送遅延要件両方とも３００msであり、ブロック誤り率要件は両方とも１０-６であり、両方の伝送優先度は同じであれば、サービスの品質は同じである認め、１つの無線ベアラを多重化することができる。
【００６３】
また、ある実施において、おおよそのサービス品質も無線ベアラにマッピングできる。たとえば、両方の遅延要件が３００msで、従来のＤＲＢのブロックエラー要件が１０-６の場合、新たに確立されたトラフィックのブロック誤り率要件は１０-５であるため、新たに確立されたデータフローも従来のＤＲＢにマッピングすることができる。おおよその遅れまたはおおよその優先順位の場合、同種のマッピングするか否かは、特にアルゴリズムに依存して行われてもよい。
【００６４】
実施では、無線ベアラを確立することは、具体的に、前記サービス品質パラメータ要件に基づき、ＵＥと無線ベアラを確立した後、前記シグナリグプレーンメッセージを応答する、ベアラが確立されたことを確定するメッセージ（例えば、ベアラ確立確認メッセージ）を、コアネットワークに返送することができる。
具体的に、アクセスネットワークノードが、従来の無線ベアラの中から当該新たに確立されたデータフローに対応する無線ベアラを見つけられず、そのデータフローのために新しい無線ベアラを確立することを決定した場合、アクセスネットワークノードは、以下のように、エアインターフェース無線ベアラ確立プロセスを開始する。
【００６５】
アクセスネットワークノードは、ＵＥに無線ベアラの識別子（例えば、ベアラＩＤ）が含まれる無線ベアラ確立メッセージを送信する。また、メッセージに、ベアラのデータフローサービス品質と対応する伝送設定、例えば、レイヤ２の伝送モードＡＭ/ＵＭ（Ａｃｋｎｏｗｌｅｄｇｅｄ Ｍｏｄｅ/Ｕｎａｃｋｎｏｗｌｅｄｇｅｄ Ｍｏｄｅ）、最大ＡＲＱ/ＨＡＲＱ（Ａｕｔｏｍａｔｉｃ Ｒｅｐｅａｔ ｒｅｑｕｅｓｔ/Ｈｙｂｒｉｄ Ａｕｔｏｍａｔｉｃ Rｅｐｅat reｑｕｅst）伝送回数、ベアラの対応の優先順位などなどが含まれる。ＵＥは、設定に従って、無線ベアラを確立した後、ネットワークに、完了シグナリングをフィードバックする。
【００６６】
２、受け入れが成功し、かつ無線ベアラの確立が成功した後、アクセスネットワークノードは、コアネットワーク制御エンティティに確立確認メッセージを返送する。その後、設定に従って、データを伝送する。
【００６７】
実施では、アクセスネットワークノードがアクセスネットワークユーザープレーンノードから分離している場合、確立された無線ベアラと前記データフローの対応関係通を、アクセスネットワークユーザープレーンノードに通知する。
具体的に、アクセスネットワークノードがアクセスネットワークユーザープレーンノードから分離している場合、アクセスネットワークノードは、ＤＲＢとデータフローの対応関係を、アクセスネットワークユーザープレーンノードに通知する必要がある。例えば、ある特性を満たすデータフローをインデックス（ｉｎｄｅｘ）が１であるＤＲＢにマッピングする。
【００６８】
伝送関連が設定された後、後続のデータフローのために、アクセスネットワークユーザープレーンノードは、設定されたデータフローとＤＲＢのマッピング関係に従って、受信したデータを正確にマッピングする。こうして、対応のデータフローを対応のＤＲＢにマッチングして伝送することができ、その伝送品質を確報する。
実施では、前記サービス品質パラメータにスペシャルデータパケットの特性が含まれる場合、スペシャルデータパケットの特性及び/またはアクセスネットワークノード上の所定のデータパケット処理ルールに基づき、前記データフロー内のデータパケットを識別し、データパケットの要件に基づき、識別されたデータパケットを処理する。
【００６９】
具体的に、データフロー内のいくつかのスペシャルデータパケットについて、コアネットワークにより設定されたスペシャルパケットの識別方法、または、アクセスネットワーク自分で設定した識別方法で、データパケットのヘッダまたはペイロードを解析することができる。スペシャルデータパケットとして識別された場合、スペシャル処理を行い、例えば、伝送優先順位を向上させることができる。典型的なアプリケーションでは、ＷｅＣｈａｔのボーナスデータを高い優先度で処理することで渋滞を避ける。優先順位は、スペシャルデータパケットをより高い優先順位を持つＤＲＢに直接マッピングし、その他のサービス品質を元のＤＲＢの品質よりも低くならないようにすることで向上させることができる。あるいは、スペシャルデータパケットを元のＤＲＢにマッピングするが、前記データパケットを高い優先順位で処理すること、例えばデータパケットを待ち行列の先頭に挿入すること、またはスペシャルタグをそれに追加する。
【００７０】
＜実施例２＞ 
本実施例は、データパケット内のシグナリングの無線ベアラ確立プロセスに関し、本例では、サービス品質パラメータをアクセスネットワークノードに送信する場合、アクセスネットワークノードに送信したデータパケットに前記サービス品質パラメータを含ませた後アクセスネットワークノードに送信する。
【００７１】
本実施例では、コアネットワークは、各データフローに対して制御プレーンの確立プロセスを実行するのではなく、データパケット内の情報に従って、何らかの事前設定されたまたは交渉された方法でデータパケットに対するサービスレベルを決定する。一例として、例えば、サービス品質とデータパケット内のフィールドの値との間の対応関係を定義し、テーブルで説明する。データパケット内のｆｌｏｗ  ｔｙｐｅ（フロータイプ）フィールドの値１は、優先度１、送信ブロックエラー誤り率１０-６、および送信遅延要件１００ミリ秒のトラフィックを表す。フィールドの値２は、優先度１、送信ブロック誤り率１０-６、および送信遅延要件３００ｍｓのトラフィックを表す。レートに関する情報でさえマッピングに含めることができる。このマッピング関係は、標準で指定することも、何らかの一般的なシグナリングのプロセスで設定することもできる。
【００７２】
実施では、アクセスネットワークノードに送信されるデータパケットに前記サービス品質パラメータを含ませてアクセスネットワークノードに送信された後、前記サービス品質パラメータに基づいて無線ベアラを処理することは、具体的に、従来のアクセスネットワークとＵＥとの間の無線ベアラ中で前記サービス品質パラメータ要件を満たす無線ベアラを検索し、前記サービス品質パラメータ要件を満たす無線ベアラが見つかった後、前記無線ベアラを通じて、コアネットワーク制御エンティティからのデータパケットをＵＥに伝送し、または、従来のアクセスネットワークとＵＥとの間の無線ベアラ中で前記サービス品質パラメータ要件を満たす無線ベアラを検索し、前記サービス品質パラメータ要件を満たす無線ベアラが見つからなかった場合、前記サービス品質パラメータ要件を満たす無線ベアラを確立し、かつ、前記無線ベアラを通じて、コアネットワーク制御エンティティからのデータパケットをＵＥに伝送する。
【００７３】
具体的に、データパケットが到着すると、アクセスネットワークノードは、前記データパケットを受信し、データパケット内の対応するフィールドを読み出し、上記のｆｌｏｗ  ｔｙｐｅを取得し、また、事前設定または約定通りに、ｆｌｏｗ  ｔｙｐｅから、サービス品質情報を取得する。この品質でトラフィックを伝送するための従来の無線ベアラである場合、データパケットを前記無線ベアラに直接に送信して、伝送すｒ。対応の無線ベアラがなければ、データパケットのための新無線ベアラを確立し、サービス品質に従って当該新無線ベアラのための様々なＬ１およびＬ２オプションを設定し、確立完成後、データパケットを前記無線ベアラに送信して伝送させる。即ち、無線ベアラを確立し、かつ、前記無線ベアラを通じて、コアネットワーク制御エンティティからのデータパケットをＵＥに伝送するには、新無線ベアラを確立し、前記サービス品質パラメータ要件に基づき、Ｌ１及びＬ２オプションを設定し、設定完了した後、前記無線ベアラを通じて、コアネットワーク制御エンティティからのデータパケットをＵＥに伝送する。
【００７４】
実施では、アクセスネットワークノードが、アクセスネットワークユーザープレーンノードから分離された場合、コアネットワーク制御エンティティからアクセスネットワークユーザープレーンノードに伝送されたデータパケットを、無線ベアラの確立完成後に、前記無線ベアラを通じて、前記データパケットをＵＥに伝送する。
具体的に、上述では、アクセスネットワークがユーザープレーンノード、制御プレーンノードと一体として説明した。二者が分離される場合、ユーザープレーンノードは、データパケットを受信し、対応のベアラが存在しない場合、対応の無線ベアラを確立するように、制御プレーンノードに通知する。
【００７５】
実施では、また、所定のタイマーに基づき、確立された無線ベアラを解放する。具体的に、アクセスネットワークは、関連のタイマーを設定し、長期にデータ伝送がない無線ベアラに対し、アクセスネットワークは、無線ベアラを解放する。
【００７６】
＜実施例３＞
本実施例では、無線ベアラ修正プロセスを説明する。本例では、従来のアクセスネットワークとＵＥとの間の無線ベアラ中で前記サービス品質パラメータ要件を満たす無線ベアラを検索し、無線ベアラ再設定フローにおいて、前記サービス品質パラメータ要件を満たす無線ベアラのうちの１つの無線ベアラを再設定し、前記サービス品質パラメータ要件を満たした後、前記無線ベアラを通じて、コアネットワーク制御エンティティのＵＥに伝送されるべきデータフローを、伝送する。例えば、従来のアクセスネットワークとＵＥとの間の無線ベアラ中で前記サービス品質パラメータ要件を満たす無線ベアラを検索し、前記サービス品質パラメータ要件を満たす無線ベアラを見つからない場合、無線ベアラ再設定フローで従来の無線ベアラ中の前記サービス品質パラメータ要件を満たす無線ベアラのうちの１つの無線ベアラを再設定する。前記サービス品質パラメータ要件を満たした後、前記無線ベアラを通じて、コアネットワーク制御エンティティのＵＥに伝送されるべきデータフローを、伝送する。
【００７７】
具体的に、コアネットワークでは、新しいデータパケットの到着時にアクセスネットワークへの確立プロセスを常に開始する。リクエストプロセスは実施例１を参考されたい。
アクセスネットワークが、コアネットワークの確立リクエストを受信した後、前記データフローを伝送することができる対応する無線ベアラがすでに存在すると判断した場合、無線ベアラが新たに確立されず、必要に応じて適切に修正される。無線ベアラは次のように修正できる。
【００７８】
新しいデータフローに対するレート要件がある場合、この時点で新しいレート要件が無線ベアラに反映されなければならず、例えば、新しいレート増分が元のレートに追加されて結果として得られる新しいレートを取得することができる。そして新しいレート要件は対応する無線ベアラに設定される。一般に、レートが変化しているので、アクセスネットワークノードは、ＵＥに通知することなく、その後のスケジューリングおよび他の動作に影響を及ぼすために内部レコードを更新するだけである。
【００７９】
元の無線ベアラの設定パラメータが変更されるように加入する新しいデータフローがある場合、新しい設定パラメータをＵＥに通知する。
前記データフローの属性と無線ベアラＩＤをバウンディングし、その後に、当該属性のデータフローは、前記無線ベアラにおいて伝送される。
ＵＥ通知する必要があれば、例えば、ＲＲＣ再設定メッセージによりＵＥの無線ベアラを再設定することができる。再設定が完了した後、アクセスネットワークノードは、コアネットワーク制御ノードに前記データフロー伝送確立の完成を返送する。その後、前記データフローを正常に伝送することができる。
【００８０】
これと類似するように、コアネットワークが、従来のデータフローの終了があることをアクセスネットワークノードに通知すると、アクセスネットワークは、当該シグナリングを受信し、データフローに対応する無線ベアを検索し、前記無線ベアラから前記データフローを削除する。例えば、無線ベアラに対応するレートからの前記データフローを削除してレート要件を取得する。前記無線ベアラを介して送信されるデータの属性から終了したデータフローの属性を取り除き、そしておそらく他の設定オプションを修正する。前記データフローが除去された後に対応する無線ベアラ上にまだデータがある場合、前記無線ベアラを保留し、必要に応じて無線ベアラ再設定を開始する。また、再設定が完了した後に、コアネットワークにデータフロー終了確認メッセージを返送する。
【００８１】
これと類似するように、コアネットワークが、従来のデータフローが更新する必要がある（例えば、サービス品質が変化される）ことをアクセスネットワークノードに通知する。アクセスネットワークは、当該シグナリングを受信し、前記データフローに対応する無線ベアラを検索し、変化の情報に基づき、前記無線ベアラへの再設定の要否を決定する。再設定プロセスが必要であれば、再設定が完了した後、コアネットワークにデータフロー更新完成を返送する。
【００８２】
＜実施例４＞
本実施例では無線ベアラ解放プロセスを説明する。本例では、所定のタイマーに基づき、確立された無線ベアラを解放し、及び/または、コアネットワーク制御エンティティからデータフロー伝送終了の通知を受信した場合、確立された無線ベアラを解放する。
具体的に、コアネットワークが、従来のデータフローが終了したことをアクセスネットワークノードに通知すると、アクセスネットワークは、当該シグナリングを受信し、前記データフローに対応する無線ベアラを検索する。データフローが無線ベアラから除去された後に他に負うべきデータがない場合、アクセスネットワークは無線ベアラを解放することができる。解除プロセスは次のとおりである。
【００８３】
１、アクセスネットワークノードは、前記無線ベアラを解放することを、ＵＥに通知する。
２、ＵＥから返された完成シグナリングを受信する。
その後、アクセスネットワークノードは、コアネットワーク制御エンティティに、データフロー終了完成シグナリングを返送する。
実施では、前記無線ベアラが当該ＵＥの最後の無線ベアラであれば、ＵＥのデータ伝送が既に終了したことを表し、当該ＵＥのＲＲＣ接続を直ちに解放することができ、プロセスは上述のものと類似する。
【００８４】
また、コアネットワーク制御エンティティによりトリガーされた解放の以外、アクセスネットワーク制御エンティティは、無線ベアラのためにタイマーを設定することができる。期限切れの前に、前記データベアラを介して伝送されるデータがずっとなければ、無線ベアラの解放をトリガーすることができる。アクセスネットワークノードは、ＵＥに、ベアラの解放と通知し、通知コアネットワーク制御エンティティにも通知する。
【００８５】
＜実施例５＞
本実施例は、アップリンク無線ベアラ管理プロセスを説明する。
一般に、無線ベアラは双方向であり、すなわち、アップリンク方向と対応するダウンリンク方向の両方で動作することができる。無線ベアラのダウンリンク方向については、パラメータ設定、レート保証、無線ベアラへのデータフローのマッピングパターンなどがアクセスネットワークノードによって実施される。無線ベアラのアップリンク方向に関しては、パラメータ設定はアクセスネットワークノードによって決定され、そしてＵＥによって実施され、レート保証はアクセスネットワークノードによるスケジューリング、およびＵＥにおいて実施されるべきいくつかの優先順位戦略の両方を必要とする。無線ベアラへのデータフローのマッピングパターンはアクセスネットワークノードによって設定されるが、このマッピング動作はＵＥによって実行される。
【００８６】
したがって、アップリンク無線ベアラの場合、それが確立された後、アクセスネットワークノードは、関連するパラメータ設定、アップリンク無線ベアラのレートパラメータ、およびアップリンク無線ベアラへのマッピングパターンをＵＥに通知しなければならない。
対応するアップリンクベアラがダウンリンクデータに協調して確立される場合、ダウンリンクデータフローが到着し、更新され、そして終了するときにアップリンクベアラが設定され維持され、その具体的なプロセスは前の実施例と同じである。ただし、前の実施例においてダウンリンク無線ベアラが確立、修正され、解放されるときには、対応する動作もそのアップリンク無線ベアラに対して実行される。特に、ダウンリンク無線ベアラは、伝送パラメータのみを設定し、とレートパラメータと無線ベアラへのデータフローのマッピングパターンは、ＵＥに知られていなくてもよく、したがって、ＵＥには設定しなくてもよい。アップリンク無線ベアラは、ＵＥが協調して動作する送信パラメータに加えて、レートパラメータ、および無線ベアラへのデータフローのマッピングパターンを設定しなければならない。マッピングパターンは、スペシャルデータが処理される前のダウンリンク実施形態におけるものと同じである。言い換えれば、実施では、コアネットワークとＵＥとの間で伝送されるべきデータフローにアップリンクデータフローが含まれる場合、さらに以下を含むことができる。
【００８７】
アップリンクデータを伝送するためのアップリンク無線ベアラを確立または再設定する場合、アクセスネットワークノードを介して、ＵＥに、前記アップリンク無線ベアラの各関連パラメータ、及びアップリンクデータフローとアップリンク無線ベアラとの間のマッピング関係を送信する。
【００８８】
ダウンリンクデータに対応するアップリンクデータパケット以外の別のアップリンクにおいてトリガーされた新しいデータフローがある場合、そのような新しいデータフローは通常、次のように到着する。ＵＥは、まず、コアネットワークに新しいデータの到着があることを通知する。ＮＡＳ（Ｎｏｎ−Ａｃｃｅｓｓ Ｓｔｒａｔｕｍ）非アクセスレイヤプロセスで新しいデータの属性を決定すると、コアネットワークはデータを送信するためのサービス品質を決定し、また、アクセスネットワークノードに対し、アップリンクデータフローに対応する伝送レイヤ確立プロセスを開始する。
【００８９】
コアネットワークは、アクセスネットワークノードに、アップリンクデータフローの伝送レイヤ確立及び維持プロセスを通知し、これは上述したダウンリンクフロート類似する。ただし、アップリンク無線ベアラは、ＵＥが協調して動作する伝送パラメータに加えて、レートパラメータ及びデータフローの無線ベアラへのマッピングパターンを設定する必要がある。
【００９０】
アップリンク無線ベアラが確立された後、対応するアップリンクデータは、データパケットの属性に従って、ＵＥによって対応する無線ベアラにマッピングされる。例えば、データパケットのヘッダ内の関連フィールド、およびそれらの組み合わせが設定された要件を満たす場合、それを指定されたアップリンク無線ベアラにマッピングするか、またはデータパケットのペイロードが何らかの方法で解析され得る。スペシャルパケットは、その優先順位などを改善することによって特別に処理されてもよい。
実施では、ＲＲＣシグナリングでアクセスネットワークノードを介してＵＥに通知することができる。
【００９１】
具体的に、アクセスネットワークノードとＵＥの間のシグナリングプロセスは、一般にＲＲＣシグナリングプロセスを用いる。
同様な発明の思想に基づき、本発明の実施例は、データフローを伝送する無線ベアラ処理装置をさらに提供し、これらの装置の課題解決原理は、データフローを伝送する無線ベアラの処理方法と類似するため、これらの装置の実施は、方法の実施を参考することができ、繰り返して説明しない。
【００９２】
図７は、アクセスネットワークノード側のデータフローを伝送する無線ベアラ処理装置の構成図である。図に示すように、当該装置は、
コアネットワーク制御エンティティからアクセスネットワークノードに送信されたサービス品質パラメータを確定する確定モジュール７０１と、
コアネットワークとＵＥとの間で伝送されるべきデータフローを伝送するために、前記サービス品質パラメータに基づいて無線ベアラを処理する処理モジュール７０２とを備える。
実施では、確定モジュールは、シグナリグプレーンメッセージによりコアネットワーク制御エンティティからアクセスネットワークノードに送信されたサービス品質パラメータに基づき、サービス品質パラメータ確定し、または、アクセスネットワークノードに送信されたデータパケットに含まれたサービス品質パラメータに基づき、サービス品質パラメータを確定する。
【００９３】
実施では、処理モジュールが、シグナリグプレーンメッセージにより、前記サービス品質パラメータをアクセスネットワークノードに送信した場合、前記サービス品質パラメータに基づいて無線ベアラを処理することは、具体的に、以下とおりである。
従来のアクセスネットワークとＵＥとの間の無線ベアラ中で前記サービス品質パラメータ要件を満たす無線ベアラを検索し、前記サービス品質パラメータ要件を満たす無線ベアラが見つかった後、前記無線ベアラを通じて、コアネットワーク制御エンティティのＵＥに伝送されるべきデータフローを、伝送する。
【００９４】
または、従来のアクセスネットワークとＵＥとの間の無線ベアラ中で前記サービス品質パラメータ要件を満たす無線ベアラを検索し、前記サービス品質パラメータ要件を満たす無線ベアラが見つからなかった場合、アクセスネットワークのリソースに基づき、前記サービス品質パラメータ要件を満たす無線ベアラを確立できるか否かを確定し、満たすと確定すれば、無線ベアラを確立し、かつ、前記無線ベアラを通じて、コアネットワーク制御エンティティのＵＥに伝送されるべきデータフローを、伝送する。
または、従来のアクセスネットワークとＵＥとの間の無線ベアラ中で前記サービス品質パラメータ要件を満たす無線ベアラを検索し、無線ベアラ再設定フローにおいて、前記サービス品質パラメータ要件を満たす無線ベアラのうちの１つの無線ベアラを再設定し、前記サービス品質パラメータ要件を満たした後、前記無線ベアラを通じて、コアネットワーク制御エンティティのＵＥに伝送されるべきデータフローを、伝送する。
実施では、処理モジュールは、アクセスネットワークのリソースに基づいて前記サービス品質パラメータ要件を満たす無線ベアラを確立できるか否かを確定する場合、アクセスネットワークのリソースが前記データフローに必要とするビットレート要件を満たすか否かに基づいて確定する。
【００９５】
実施では、処理モジュールは、無線ベアラを確立する場合、前記サービス品質パラメータ要件に従って、ＵＥと無線ベアラを確立して後、コアネットワークに、前記シグナリグプレーンメッセージを応答する、ベアラの確立を確認するメッセージを返送する。
実施では、前記サービス品質パラメータは、前記データフローのサービス品質要件と、前記データフローの伝送属性と、スペシャルデータパケットの特性とのうちの１つまたはこれらの組み合わせを含む。
実施では、処理モジュールは、前記サービス品質パラメータにスペシャルデータパケットの特性が含まれる場合、スペシャルデータパケットの特性及び/またはアクセスネットワークノード上の所定のデータパケット処理ルールに基づき、前記データフロー内のデータパケットを識別し、データパケットの要件に基づき、識別されたデータパケットを処理する。
【００９６】
実施では、処理モジュールが、アクセスネットワークノードに送信されるデータパケットに前記サービス品質パラメータを含ませてアクセスネットワークノードに送信された後、前記サービス品質パラメータに基づいて無線ベアラを処理する場合、
従来のアクセスネットワークとＵＥとの間の無線ベアラ中で前記サービス品質パラメータ要件を満たす無線ベアラを検索し、前記サービス品質パラメータ要件を満たす無線ベアラが見つかった後、前記無線ベアラを通じて、コアネットワーク制御エンティティからのデータパケットをＵＥに伝送する。
【００９７】
または、従来のアクセスネットワークとＵＥとの間の無線ベアラ中で前記サービス品質パラメータ要件を満たす無線ベアラを検索し、前記サービス品質パラメータ要件を満たす無線ベアラが見つからなかった場合、無線ベアラを確立し、かつ、前記無線ベアラを通じて、コアネットワーク制御エンティティからのデータパケットをＵＥに伝送する。
実施では、処理モジュールは、無線ベアラを確立し、前記無線ベアラを通じて、コアネットワーク制御エンティティからのデータパケットをＵＥに伝送する場合、新無線ベアラを確立し、前記サービス品質パラメータ要件に基づき、Ｌ１及びＬ２オプションを設定し、設定完了した後、前記無線ベアラを通じて、コアネットワーク制御エンティティからのデータパケットをＵＥに伝送する。
【００９８】
実施では、処理モジュールは、所定のタイマーに基づき、確立された無線ベアラを解放し、及び/または、コアネットワーク制御エンティティからデータフロー伝送終了の通知を受信した場合、確立された無線ベアラを解放する。
実施では、処理モジュールは、コアネットワークとＵＥとの間で伝送されるべきデータフローにアップリンクデータフローが含まれる場合、アップリンクデータを伝送するアップリンク無線ベアラを確立するとき、ＵＥに前記アップリンク無線ベアラの各関連パラメータ、及びアップリンクデータフローとアップリンク無線ベアラとの間のマッピング関係を通知する。
【００９９】
実施では、処理モジュールは、ＲＲＣシグナリングでＵＥに通知する。
図８は、ＵＥ側のデータフローを伝送する無線ベアラ処理装置の構成図である。図に示すように、当該装置は、
アクセスネットワークノードの要件に従ってＵＥ上の無線ベアラを処理するＵＥ処理モジュール８０１と、
前記無線ベアラを通じて、コアネットワークとＵＥとの間で伝送されるべきデータフローを伝送する伝送モジュール８０２とを備える。
前記アクセスネットワークノードの要件は、アクセスネットワークノードがコアネットワーク制御エンティティからアクセスネットワークノードに発送されたサービス品質パラメータに基づき、行われる。
【０１００】
実施では、ＵＥ処理モジュールは、コアネットワークとＵＥとの間で伝送されるべきデータフローにアップリンクデータフローが含まれる場合、ＵＥによって伝送されるべきアップリンクデータフローを確定し、コアネットワーク制御エンティティに通知する。
実施では、ＵＥ処理モジュールは、ＮＡＳシグナリングで前記伝送要件を、コアネットワーク制御エンティティに通知する。
実施では、ＵＥ処理モジュールは、さらに、通知を受信し、前記通知には、アップリンクデータフローを伝送するアップリンク無線ベアラの各関連パラメータ、及びアップリンクデータフローとアップリンク無線ベアラとの間のマッピング関係が含まれる。
実施では、ＵＥ処理モジュールはＲＲＣシグナリングで通知を受信する。
説明の便宜上、上記の装置の各構成要素は、それぞれ機能的にそれぞれモジュールおよびユニットとして説明した。もちろん、本発明の実施において、それぞれのモジュールまたはユニットの機能は、ソフトウェアまたはハードウェアの同じ１つまたは複数の部分で実行することができる。
【０１０１】
本発明の実施例に係る技術案は、以下のように実施されることができる。
図９は、アクセスネットワークノードの構成図である。図に示すように、アクセスネットワークノードは、プロセッサ９００と、メモリ９２０と、送受信機９１０とを備える。
前記プロセッサ９００は、メモリ９２０に格納されたプログラムを読み出し、コアネットワーク制御エンティティからアクセスネットワークノードに送信されたサービス品質パラメータを確定する。
【０１０２】
前記送受信機９１０は、プロセッサ９００の制御によりデータを送受信し、コアネットワークとＵＥとの間で伝送されるべきデータフローを伝送するために、前記サービス品質パラメータに基づいて無線ベアラを処理する。
実施では、アクセスネットワークノードに送信された前記サービス品質パラメータは、シグナリグプレーンメッセージにより、アクセスネットワークノードに送信される。
または、アクセスネットワークノードに送信された前記サービス品質パラメータは、アクセスネットワークノードに送信されるデータパケットに前記サービス品質パラメータを含ませて、アクセスネットワークノードに送信されたものである。
【０１０３】
実施では、シグナリグプレーンメッセージにより、前記サービス品質パラメータをアクセスネットワークノードに送信した場合、前記サービス品質パラメータに基づいて無線ベアラを処理する場合、
従来のアクセスネットワークとＵＥとの間の無線ベアラ中で前記サービス品質パラメータ要件を満たす無線ベアラを検索し、前記サービス品質パラメータ要件を満たす無線ベアラが見つかった後、前記無線ベアラを通じて、コアネットワーク制御エンティティのＵＥに伝送されるべきデータフローを、伝送し、
または、従来のアクセスネットワークとＵＥとの間の無線ベアラ中で前記サービス品質パラメータ要件を満たす無線ベアラを検索し、前記サービス品質パラメータ要件を満たす無線ベアラが見つからなかった場合、アクセスネットワークのリソースに基づき、前記サービス品質パラメータ要件を満たす無線ベアラを確立できるか否かを確定し、満たすと確定した場合、無線ベアラを確立し、かつ、前記無線ベアラを通じて、コアネットワーク制御エンティティのＵＥに伝送されるべきデータフローを、伝送し、
または、従来のアクセスネットワークとＵＥとの間の無線ベアラ中で前記サービス品質パラメータ要件を満たす無線ベアラを検索し、無線ベアラ再設定フローにおいて、前記サービス品質パラメータ要件を満たす無線ベアラのうちの１つの無線ベアラを再設定し、前記サービス品質パラメータ要件を満たした後、前記無線ベアラを通じて、コアネットワーク制御エンティティのＵＥに伝送されるべきデータフローを、伝送する。
【０１０４】
実施では、アクセスネットワークのリソースに基づき、前記サービス品質パラメータ要件を満たす無線ベアラを確立できるか否かを確定し、アクセスネットワークのリソースが前記データフローに必要とするビットレート要件を満たすか否かに基づいて確定する。
実施では、無線ベアラを確立する場合、
前記サービス品質パラメータ要件に従って、ＵＥと無線ベアラを確立した後、コアネットワークに、前記シグナリグプレーンメッセージを応答する、ベアラの確立を確定するメッセージを返送する。
【０１０５】
実施では、前記サービス品質パラメータは、前記データフローのサービス品質要件と、前記データフローの伝送属性と、スペシャルデータパケットの特性とのうちの１つまたはこれらの組み合わせを含む。
実施では、前記サービス品質パラメータにスペシャルデータパケットの特性が含まれる場合、スペシャルデータパケットの特性及び/またはアクセスネットワークノード上の所定のデータパケット処理ルールに基づき、前記データフロー内のデータパケットを識別し、データパケットの要件に基づき、識別されたデータパケットを処理する。
【０１０６】
実施では、アクセスネットワークノードに送信されるデータパケットに前記サービス品質パラメータを含ませてアクセスネットワークノードに送信された後、前記サービス品質パラメータに基づいて無線ベアラを処理する場合、
従来のアクセスネットワークとＵＥとの間の無線ベアラ中で前記サービス品質パラメータ要件を満たす無線ベアラを検索し、前記サービス品質パラメータ要件を満たす無線ベアラが見つかった後、前記無線ベアラを通じて、コアネットワーク制御エンティティからのデータパケットをＵＥに伝送し、
または、従来のアクセスネットワークとＵＥとの間の無線ベアラ中で前記サービス品質パラメータ要件を満たす無線ベアラを検索し、前記サービス品質パラメータ要件を満たす無線ベアラが見つからなかった場合、無線ベアラを確立し、かつ、前記無線ベアラを通じて、コアネットワーク制御エンティティからのデータパケットをＵＥに伝送する。
【０１０７】
実施では、無線ベアラを確立し、かつ、前記無線ベアラを通じて、コアネットワーク制御エンティティからのデータパケットをＵＥに伝送する場合、新無線ベアラを確立し、前記サービス品質パラメータ要件に基づき、Ｌ１及びＬ２オプションを設定し、設定完了した後、前記無線ベアラを通じて、コアネットワーク制御エンティティからのデータパケットをＵＥに伝送する。
【０１０８】
実施では、所定のタイマーに基づき、確立された無線ベアラを解放し、及び/または、コアネットワーク制御エンティティからデータフロー伝送終了の通知を受信した場合、確立された無線ベアラを解放する。
実施では、コアネットワークとＵＥとの間で伝送されるべきデータフローにアップリンクデータフローが含まれる場合、アップリンクデータを伝送するためのアップリンク無線ベアラを確立または再設定する場合、アクセスネットワークノードを介してＵＥに、前記アップリンク無線ベアラの各関連パラメータ、及びアップリンクデータフローとアップリンク無線ベアラとの間のマッピング関係を通知する。
【０１０９】
実施では、ＲＲＣシグナリングでアクセスネットワークノードにより、ＵＥに通知する。
図９において、バスアーキテクチャは、いずれ数の相互接続するバス及びブリッジを備える。具体的に、プロセッサ９００が代表となる１つまたは複数のプロセッサ及びメモリ９２０が代表となるメモリの多様な回路により接続される。バスアーキテクチャは、外部設備、電圧レギュレーター及び電力管理回路などの他の回路を接続することもできる。これらは、当該分野の周知技術であるため、本発明において、詳細に説明しない。バスインターフェースはインターフェースを提供する。送受信機９１０は、複数の部品であることができ、即ち、送信機及び受信機を備え、伝送媒体を介して他の装置と通信するユニットを提供する。プロセッサ９００は、バズアーキテクチャ及び通常の処理を管理し、メモリ９２０は、プロセッサ９００が動作する際に利用するデータを記憶することができる
図１０は、ＵＥの構成図である。図に示すように、ユーザー機器は、プロセッサ１０００と、メモリ１０２０と、送受信機１０１０とを備える。
【０１１０】
前記プロセッサ１０００は、メモリ１０２０に格納されたプログラムを読み出し、アクセスネットワークノードの要件に従ってＵＥ上の無線ベアラを処理し、前記アクセスネットワークノードの要件は、アクセスネットワークノードがコアネットワーク制御エンティティからアクセスネットワークノードに発送されたサービス品質パラメータに基づき、行われる。 
前記送受信機１０１０は、プロセッサ１０００の制御によりデータを送受信し、前記無線ベアラにより、コアネットワークとＵＥとの間で伝送されるべきデータフローを伝送する。
実施では、コアネットワークとＵＥとの間で伝送されるべきデータフローにアップリンクデータフローが含まれる場合、ＵＥによって伝送されるべきアップリンクデータフローを確定し、コアネットワーク制御エンティティに通知する。
実施では、前記伝送要件をＮＡＳシグナリングでコアネットワーク制御エンティティに通知する。
【０１１１】
実施では、通知を受信し、前記通知には、アップリンクデータフローを伝送するアップリンク無線ベアラの各関連パラメータ、及びアップリンクデータフローとアップリンク無線ベアラとの間のマッピング関係が含まれる。
実施では、前記通知は、ＲＲＣシグナリングで通知された。
図１０において、バスアーキテクチャは、いずれ数の相互接続するバス及びブリッジを備える。具体的に、プロセッサ１０００が代表となる１つまたは複数のプロセッサ及びメモリ１０２０が代表となるメモリの多様な回路により接続される。バスアーキテクチャは、外部設備、電圧レギュレーター及び電力管理回路などの他の回路を接続することもできる。これらは、当該分野の周知技術であるため、本発明において、詳細に説明しない。バスインターフェースはインターフェースを提供する。送受信機１０１０は、複数の部品であることができ、即ち、送信機及び受信機を備え、伝送媒体を介して他の装置と通信するユニットを提供する。異なるユーザー設備に対し、ユーザーインターフェース１０３０は、外部接続または内部接続に必要な設備のインターフェースであることもできる。接続する設備は、キーパッド、ディスプレー、スピーカー、マイクロホン、ジョイスティックなどを備えるが、これに限られない。
【０１１２】
プロセッサ１０００は、バズアーキテクチャ及び通常の処理を管理し、メモリ１０２０は、プロセッサ１０００が動作する際に利用するデータを記憶することができる。
要するに、本発明の実施例に係る技術案において、アクセスネットワークノードは、コアネットワークの設定、または、コアネットワークデータフローの属性により、データフローのサービス品質パラメータを取得し、当該サービス品質パラメータに基づいて、前記データフローのため最適のエアインターフェース無線ベアラを決定する。エアインターフェースに品質改善要件を満たす無線ベアラがなければ、新無線ベアラを確立する。エアインターフェースに、対応サービス品質改善要件を満たす無線ベアラが有すれば、データフローを前記無線ベアラにマッピングし、必要に応じて、前記無線ベアラを再設定するか、または、パラメータ更新を行う。
【０１１３】
具体的に、アクセスネットワーク側は、データフローにより、無線ベアラの確立、修正及び解放プロセスを行う。データパケット内のシグナリングにより無線ベアラを管理する。データフローの無線ベアラへのマッピングパータンを決定する。データフロー内のスペシャルパケットを処理する。アクセスネットワークノードを介して、ＲＲＣシグナリングでＵＥに、アップリンクベアラのデータマッピングパータンを設定する。
同様な発明の思想に基づき、本発明の実施例に係るコンピュータ記憶媒体，前記コンピュータ記憶媒体にコンピュータ実行可能命令が格納されており、前記コンピュータ実行可能命令は、前記コンピュータに、上記アクセスネットワークノードによって実行された方法のうちのいずれか１つの方法を実行する。
【０１１４】
同様な発明の思想に基づき、本発明の実施例に係るコンピュータ記憶媒体において、前記コンピュータ記憶媒体にコンピュータ実行可能命令が格納されており、前記コンピュータ実行可能命令は、上記ユーザー機器により実行された方法のうちのいずれか１つの方法を、前記コンピュータに実行させる。
【０１１５】
本技術案によれば、同じサービス品質を有する複数のデータフローを事実上無線ベアラにマッピングすることができ、それによってシグナリングプロセスの複雑さを低減し、トラフィック伝送の品質を保証し、そしてスペシャルパケットの処理をサポートする。
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つ或いは複数のコンピュータプログラム製品の形式を採用できる。当該製品はコンピュータ使用可能なプログラムコードを含むコンピュータ使用可能な記憶媒体（ディスク記憶装置、ＣＤ-ＲＯＭ、光学記憶装置などを含むがそれとは限らない）において実施する。
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。
【０１１６】
これらのコンピュータプログラム指令は又、コンピュータ或いは他のプログラム可能なデータ処理装置を特定方式で動作させるコンピュータ読取記憶装置に記憶できる。これによって、指令を含む装置は当該コンピュータ読取記憶装置内の指令を実行でき、フロー図における一つ或いは複数のフローおよび／またはブロック図における一つ或いは複数のブロックに指定する機能を実現する。
【０１１７】
これらコンピュータプログラム指令はさらに、コンピュータ或いは他のプログラム可能なデータ処理装置設備に実装もできる。コンピュータプログラム指令が実装されたコンピュータ或いは他のプログラム可能設備は、一連の操作ステップを実行することによって、関連の処理を実現し、コンピュータ或いは他のプログラム可能な設備において実行される指令によって、フロー図における一つ或いは複数のフローおよび／またはブロック図における一つ或いは複数のブロックに指定する機能を実現する。
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【０１１８】
本出願は、２０１６年７月２２日に中国特許局に提出し、出願番号が２０１６１０５８９４１３.７であり、発明名称が「データフローを伝送する無線ベアラの処理方法及び装置」との中国特許出願を基礎とする優先権を主張し、その開示の総てをここに取り込む。
【図１】
2019525593.tif 000003
【図２】
2019525593.tif 000004
【図３】
2019525593.tif 000005
【図４】
2019525593.tif 000006
【図５】
2019525593.tif 000007
【図６】
2019525593.tif 000008
【図７】
2019525593.tif 000009
【図８】
2019525593.tif 000010
【図９】
2019525593.tif 000011
【図１０】
2019525593.tif 000012
【手続補正書】
【提出日】平成31年2月4日(2019.2.4)
【手続補正１】
【補正対象書類名】特許請求の範囲
【補正対象項目名】全文
【補正方法】変更
【補正の内容】
【特許請求の範囲】
【請求項１】
コアネットワーク制御エンティティからアクセスネットワークノードに送信されたサービス品質パラメータを確定するステップと、
コアネットワークとＵＥとの間で伝送されるべきデータフローを伝送するために、前記サービス品質パラメータに基づいて無線ベアラを処理するステップとを備えることを特徴とするデータフローを伝送する無線ベアラの処理方法。
【請求項２】
アクセスネットワークノードに送信された前記サービス品質パラメータは、シグナリグプレーンメッセージにより、前記サービス品質パラメータをアクセスネットワークノードに送信されたものであり、
または、アクセスネットワークノードに送信された前記サービス品質パラメータは、アクセスネットワークノードに送信されるデータパケットに前記サービス品質パラメータを含ませて、アクセスネットワークノードに送信されたものであることを特徴とする請求項１に記載のデータフローを伝送する無線ベアラの処理方法。
【請求項３】
シグナリグプレーンメッセージにより、前記サービス品質パラメータをアクセスネットワークノードに送信したとき、前記サービス品質パラメータに基づいて無線ベアラを処理する場合、
従来のアクセスネットワークとＵＥとの間の無線ベアラ中で前記サービス品質パラメータ要件を満たす無線ベアラを検索し、前記サービス品質パラメータ要件を満たす無線ベアラが見つかった後、前記無線ベアラを通じて、コアネットワーク制御エンティティのＵＥに伝送されるべきデータフローを、伝送し、
または、従来のアクセスネットワークとＵＥとの間の無線ベアラ中で前記サービス品質パラメータ要件を満たす無線ベアラを検索し、前記サービス品質パラメータ要件を満たす無線ベアラが見つからなかった場合、アクセスネットワークのリソースが前記データフローに必要とするビットレート要件を満たすか否かに基づいて前記サービス品質パラメータ要件を満たす無線ベアラを確立できるか否かを確定し、確立できれば、前記サービス品質パラメータ要件を満たす無線ベアラを確立し、前記確立された無線ベアラを通じて、コアネットワーク制御エンティティのＵＥに伝送されるべきデータフローを、伝送し、
または、従来のアクセスネットワークとＵＥとの間の無線ベアラ中で前記サービス品質パラメータ要件を満たす無線ベアラを検索し、無線ベアラ再設定フローにおいて、前記サービス品質パラメータ要件を満たす無線ベアラのうちの１つの無線ベアラを再設定し、前記サービス品質パラメータ要件を満たした後、前記無線ベアラを通じて、コアネットワーク制御エンティティのＵＥに伝送されるべきデータフローを、伝送し、
アクセスネットワークノードに送信されるデータパケットに前記サービス品質パラメータを含ませてアクセスネットワークノードに送信された後、前記サービス品質パラメータに基づいて無線ベアラを処理する場合、
従来のアクセスネットワークとＵＥとの間の無線ベアラ中で前記サービス品質パラメータ要件を満たす無線ベアラを検索し、前記サービス品質パラメータ要件を満たす無線ベアラが見つかった後、前記見つかった無線ベアラを通じてコアネットワーク制御エンティティからのデータパケットをＵＥに伝送し、
または、従来のアクセスネットワークとＵＥとの間の無線ベアラ中で前記サービス品質パラメータ要件を満たす無線ベアラを検索し、前記サービス品質パラメータ要件を満たす無線ベアラが見つからなかった場合、前記サービス品質パラメータ要件を満たす無線ベアラを確立し、前記確立された無線ベアラを通じて、コアネットワーク制御エンティティからのデータパケットをＵＥに伝送し、
無線ベアラを確立し、かつ、前記無線ベアラを通じて、コアネットワーク制御エンティティからのデータパケットをＵＥに伝送する場合、
新無線ベアラを確立し、前記サービス品質パラメータ要件に基づき、前記新無線ベアラのためにＬ１及びＬ２オプションを設定し、設定完了した後、前記無線ベアラを通じて、コアネットワーク制御エンティティからのデータパケットをＵＥに伝送することを特徴とする請求項２に記載のデータフローを伝送する無線ベアラの処理方法。
【請求項４】
所定のタイマーに基づき、確立された無線ベアラを解放し、
及び/または、コアネットワーク制御エンティティからデータフロー伝送終了の通知を受信した場合、確立された無線ベアラを解放することを特徴とする請求項１ないし請求項３のいずれか１項に記載のデータフローを伝送する無線ベアラの処理方法。
【請求項５】
コアネットワークとＵＥとの間で伝送されるべきデータフローにアップリンクデータフローが含まれる場合、
アップリンクデータを伝送するためのアップリンク無線ベアラを確立または再設定する場合、アクセスネットワークノードを通じて、前記アップリンク無線ベアラの関連パラメータ、及びアップリンクデータフローとアップリンク無線ベアラとの間のマッピング関係を、ＵＥに通知することを特徴とする請求項１ないし請求項３のいずれか１項に記載のデータフローを伝送する無線ベアラの処理方法。
【請求項６】
前記サービス品質パラメータは、
前記データフローのサービス品質要件と、前記データフローの伝送属性と、スペシャルデータパケットの特性とのうちの１つまたはこれらの組み合わせを含み、
前記サービス品質パラメータにスペシャルデータパケットの特性が含まれる場合、スペシャルデータパケットの特性及び/またはアクセスネットワークノード上の所定のデータパケット処理ルールに基づき、前記データフロー内のデータパケットを識別し、
データパケットの要件に基づき、識別されたデータパケットを処理することを特徴とする請求項１ないし請求項３のいずれか１項に記載のデータフローを伝送する無線ベアラの処理方法。
【請求項７】
アクセスネットワークノードの要件に従ってＵＥ上の無線ベアラを処理し、
前記無線ベアラにより、コアネットワークとＵＥとの間で伝送されるべきデータフローを伝送するステップとを備え、
前記アクセスネットワークノードの要件は、アクセスネットワークノードがコアネットワーク制御エンティティからアクセスネットワークノードに発送されたサービス品質パラメータに基づき、行われることを特徴とするデータフローを伝送する無線ベアラの処理方法。
【請求項８】
コアネットワークとＵＥとの間で伝送されるべきデータフローにアップリンクデータフローが含まれる場合、
ＵＥによって伝送されるべきアップリンクデータフローを確定し、コアネットワーク制御エンティティに通知することを特徴とする請求項７に記載のデータフローを伝送する無線ベアラの処理方法。
【請求項９】
通知を受信し、
前記通知には、アップリンクデータフローを伝送するアップリンク無線ベアラの関連パラメータと、アップリンクデータフローとアップリンク無線ベアラとの間のマッピング関係とが含まれることを特徴とする請求項７または請求項８に記載のデータフローを伝送する無線ベアラの処理方法。
【請求項１０】
コアネットワーク制御エンティティからアクセスネットワークノードに送信されたサービス品質パラメータを確定する確定モジュールと、
コアネットワークとＵＥとの間で伝送されるべきデータフローを伝送するために、前記サービス品質パラメータに基づいて無線ベアラを処理する処理モジュールとを備えることを特徴とするデータフローを伝送する無線ベアラ処理装置。
【請求項１１】
確定モジュールは、シグナリグプレーンメッセージによりコアネットワーク制御エンティティからアクセスネットワークノードに送信されたサービス品質パラメータに基づき、サービス品質パラメータ確定し、または、アクセスネットワークノードに送信されたデータパケットに含まれたサービス品質パラメータに基づき、サービス品質パラメータを確定することを特徴とする請求項１０に記載のデータフローを伝送する無線ベアラ処理装置。
【請求項１２】
処理モジュールは、シグナリグプレーンメッセージにより前記サービス品質パラメータをアクセスネットワークノードに送信した場合、
従来のアクセスネットワークとＵＥとの間の無線ベアラ中で前記サービス品質パラメータ要件を満たす無線ベアラを検索し、前記サービス品質パラメータ要件を満たす無線ベアラが見つかった後、前記無線ベアラを通じて、コアネットワーク制御エンティティのＵＥに伝送されるべきデータフローを、伝送し、
または、従来のアクセスネットワークとＵＥとの間の無線ベアラ中で前記サービス品質パラメータ要件を満たす無線ベアラを検索し、前記サービス品質パラメータ要件を満たす無線ベアラが見つからなかった場合、アクセスネットワークのリソースが前記データフローに必要とするビットレート要件を満たすか否かに基づいて前記サービス品質パラメータ要件を満たす無線ベアラを確立できるか否かを確定し、確立できれば、前記サービス品質パラメータ要件を満たす無線ベアラを確立し、前記確立された無線ベアラを通じて、コアネットワーク制御エンティティのＵＥに伝送されるべきデータフローを、伝送し、
または、従来のアクセスネットワークとＵＥとの間の無線ベアラ中で前記サービス品質パラメータ要件を満たす無線ベアラを検索し、無線ベアラ再設定フローにおいて、前記サービス品質パラメータ要件を満たす無線ベアラのうちの１つの無線ベアラを再設定し、前記サービス品質パラメータ要件を満たした後、前記無線ベアラを通じて、コアネットワーク制御エンティティのＵＥに伝送されるべきデータフローを、伝送し、
前記処理モジュールは、アクセスネットワークノードに送信するデータパケットに前記サービス品質パラメータを含ませてアクセスネットワークノードに送信した場合、従来のアクセスネットワークとＵＥとの間の無線ベアラ中で前記サービス品質パラメータ要件を満たす無線ベアラを検索し、前記サービス品質パラメータ要件を満たす無線ベアラが見つかった後、前記見つかった無線ベアラを通じてコアネットワーク制御エンティティからのデータパケットをＵＥに伝送し、
または、従来のアクセスネットワークとＵＥとの間の無線ベアラ中で前記サービス品質パラメータ要件を満たす無線ベアラを検索し、前記サービス品質パラメータ要件を満たす無線ベアラが見つからなかった場合、前記サービス品質パラメータ要件を満たす無線ベアラを確立し、前記確立された無線ベアラを通じて、コアネットワーク制御エンティティからのデータパケットをＵＥに伝送し、
前記処理モジュールは、無線ベアラを確立し、前記無線ベアラを通じて、コアネットワーク制御エンティティからのデータパケットをＵＥに伝送する場合、新無線ベアラを確立し、前記サービス品質パラメータ要件に基づき、前記新無線ベアラのためにＬ１及びＬ２オプションを設定し、設定完了した後、前記無線ベアラを通じて、コアネットワーク制御エンティティからのデータパケットをＵＥに伝送することを特徴とする請求項１１に記載のデータフローを伝送する無線ベアラ処理装置。
【請求項１３】
処理モジュールは、所定のタイマーに基づき、確立された無線ベアラを解放し、及び/または、コアネットワーク制御エンティティからデータフロー伝送終了の通知を受信した場合、確立された無線ベアラを解放することを特徴とする請求項１０ないし請求項１２のいずれか１項に記載のデータフローを伝送する無線ベアラ処理装置。
【請求項１４】
処理モジュールは、コアネットワークとＵＥとの間で伝送されるべきデータフローにアップリンクデータフローが含まれる場合、アップリンクデータを伝送するアップリンク無線ベアラを確立するとき、前記アップリンク無線ベアラの関連パラメータ、及びアップリンクデータフローとアップリンク無線ベアラとの間のマッピング関係を、ＵＥに通知することを特徴とする請求項１０ないし請求項１２のいずれか１項に記載のデータフローを伝送する無線ベアラ処理装置。
【請求項１５】
前記サービス品質パラメータは、
前記データフローのサービス品質要件と、前記データフローの伝送属性と、スペシャルデータパケットの特性とのうちの１つまたはこれらの組み合わせを含み、
前記処理モジュールは、前記サービス品質パラメータにスペシャルデータパケットの特性が含まれる場合、スペシャルデータパケットの特性及び/またはアクセスネットワークノード上の所定のデータパケット処理ルールに基づき、前記データフロー内のデータパケットを識別し、データパケットの要件に基づき、識別されたデータパケットを処理することを特徴とする請求項１０ないし請求項１２のいずれか１項に記載のデータフローを伝送する無線ベアラ処理装置。
【請求項１６】
アクセスネットワークノードの要件に従ってＵＥ上の無線ベアラを処理するＵＥ処理モジュールと、
前記無線ベアラを通じて、コアネットワークとＵＥとの間で伝送されるべきデータフローを伝送する伝送モジュールとを備え、
前記アクセスネットワークノードの要件は、アクセスネットワークノードがコアネットワーク制御エンティティからアクセスネットワークノードに発送されたサービス品質パラメータに基づき、行われることを特徴とするデータフローを伝送する無線ベアラ処理装置。 
【請求項１７】
ＵＥ処理モジュールは、コアネットワークとＵＥとの間で伝送されるべきデータフローにアップリンクデータフローが含まれる場合、ＵＥによって伝送されるべきアップリンクデータフローを確定し、コアネットワーク制御エンティティに通知することを特徴とする請求項１６に記載のデータフローを伝送する無線ベアラ処理装置。 
【請求項１８】
ＵＥ処理モジュールは、さらに、通知を受信し、前記通知には、アップリンクデータフローを伝送するアップリンク無線ベアラの関連パラメータと、アップリンクデータフローとアップリンク無線ベアラとの間のマッピング関係とが含まれることを特徴とする請求項１６または請求項１７に記載のデータフローを伝送する無線ベアラ処理装置。 
【国際調査報告】
2019525593.tif 000013
2019525593.tif 000014
2019525593.tif 000015
2019525593.tif 000016